(57)【特許請求の範囲】
【請求項１】
遊技球が流下可能な遊技領域を有する遊技盤と、
前記遊技領域を流下する遊技球が入球し易い第１状態と前記第１状態よりも入球し難い又は入球不能な第２状態との間を変位する可変入賞装置と、
を備え、
前記可変入賞装置は、
遊技球の入球に伴って遊技球を払い出す入賞口と、
前記入賞口に対して左右方向に並べて配置され、遊技球の入球に対して遊技球の払い出しを行わずに入球した遊技球が排出される排出口と、
前記遊技盤に取り付けられる取付板と、
前記取付板に軸支され、後方へ回動して起立状態となると前記入賞口と前記排出口を閉塞し、前方へ回動して前方傾斜状態となると前記入賞口と前記排出口を開放し、且つ、前記前方傾斜状態における上側面で前記遊技領域を流下する遊技球を受け止めて、前記入賞口又は前記排出口に誘導する開閉扉と、
を有することを特徴とする遊技機。
【発明の詳細な説明】
【技術分野】
【０００１】
本発明は、パチンコ遊技機等の遊技機に関するものである。
【背景技術】
【０００２】
従来より、特別遊技状態が発生した場合に、所定回数開放される開閉扉を有する大入賞口が設けられたパチンコ遊技機等の遊技機が種々提案されている。
【０００３】
例えば、下記特許文献１に記載された遊技機では、横長の開口部からなる大入賞口と、大入賞口の下縁に沿って前後方向に回動可能に軸支されて大入賞口を開閉する開閉扉を有する大入賞装置が遊技領域の中央部よりも右側に偏位した領域に配置されている。そして、特別遊技状態になった場合には、発射装置から遊技領域内に強く打ち出された遊技球を遊技領域の上縁に沿って時計回り方向へガイドすると共に、この遊技球を返しゴムによって跳ね返して遊技領域の右側領域に流下させる。そして、遊技領域の右側領域を流下した遊技球は、開放された前方傾斜状態の開閉扉の上側面に当たって大入賞口に入球し、また、前方傾斜状態の開閉扉の上側面に当たらない遊技球は、アウト口へ誘導されるように構成されている。
【先行技術文献】
【特許文献】
【０００４】
【特許文献１】特開２０１３−２４４２７５号公報
【発明の概要】
【発明が解決しようとする課題】
【０００５】
しかしながら、前記した特許文献１に記載された遊技機では、開閉扉の幅は、大入賞口の幅にほぼ等しくなるように形成されているため、開閉扉上に流下しない遊技球が多くあり、特別遊技状態における大入賞装置に入球する遊技球の動きに対する趣向性が低減する虞があった。
【０００６】
かかる問題に鑑み、本発明は、開閉扉の横幅を容易に大きくして、特別遊技状態における可変入賞装置に入球する遊技球の動きに対する趣向性を高めることが可能となる遊技機を提供することを目的とする。
【課題を解決するための手段】
【０００７】
前記目的を達成するため請求項１に係る遊技機は、遊技球が流下可能な遊技領域を有する遊技盤と、前記遊技領域を流下する遊技球が入球し易い第１状態と前記第１状態よりも入球し難い又は入球不能な第２状態との間を変位する可変入賞装置と、を備え、前記可変入賞装置は、遊技球の入球に伴って遊技球を払い出す入賞口と、前記入賞口に対して左右方向に並べて配置され、遊技球の入球に対して遊技球の払い出しを行わずに入球した遊技球が排出される排出口と、前記遊技盤に取り付けられる取付板と、前記取付板に軸支され、後方へ回動して起立状態となると前記入賞口と前記排出口を閉塞し、前方へ回動して前方傾斜状態となると前記入賞口と前記排出口を開放し、且つ、前記前方傾斜状態における上側面で前記遊技領域を流下する遊技球を受け止めて、前記入賞口又は前記排出口に誘導する開閉扉と、を有することを特徴とする。
【発明の効果】
【００１９】
請求項１に記載の発明によれば、遊技球が流下可能な遊技領域を有する遊技盤と、前記遊技領域を流下する遊技球が入球し易い第１状態と前記第１状態よりも入球し難い又は入球不能な第２状態との間を変位する可変入賞装置と、を備え、前記可変入賞装置は、遊技球の入球に伴って遊技球を払い出す入賞口と、前記入賞口に対して左右方向に並べて配置され、遊技球の入球に対して遊技球の払い出しを行わずに入球した遊技球が排出される排出口と、前記遊技盤に取り付けられる取付板と、前記取付板に軸支され、後方へ回動して起立状態となると前記入賞口と前記排出口を閉塞し、前方へ回動して前方傾斜状態となると前記入賞口と前記排出口を開放し、且つ、前記前方傾斜状態における上側面で前記遊技領域を流下する遊技球を受け止めて、前記入賞口又は前記排出口に誘導する開閉扉と、を有する構成のため、特別遊技状態における可変入賞装置に入球する遊技球の動きに対する趣向性を高めることが可能となる。
【図面の簡単な説明】
【００３３】
【図１】本実施形態に係る遊技機の正面図である。
【図２】図１に示した遊技機の裏側を示す図である。
【図３】図１に示した遊技機の制御ブロック図である。
【図４】（Ａ）は開閉扉を閉じた状態を示し、（Ｂ）は開閉扉を開放した状態を示す可変入賞装置の斜視図である。
【図５】開閉扉が閉鎖状態のときの可変入賞ソレノイドを示す側断面図である。
【図６】開閉扉が開放状態のときの可変入賞ソレノイドを示す側断面図である。
【図７】開閉扉が開放状態のときの可変入賞装置に入球する遊技球の動きの一例を示す説明図ある。
【図８】図７のＸ１−Ｘ１矢視断面図である。
【図９】図７のＸ２−Ｘ２矢視断面図である。
【図１０】（Ａ）は開閉扉を閉じた状態を示し、（Ｂ）は開閉扉を開放した状態を示す他の第１実施形態に係る可変入賞装置の斜視図である。
【図１１】図１０のＸ３−Ｘ３矢視断面図である。
【図１２】開閉扉が開放状態のときの他の第１実施形態に係る可変入賞装置に入球する遊技球の動きの一例を示す説明図ある。
【図１３】（Ａ）は開閉扉を閉じた状態を示し、（Ｂ）は開閉扉を開放した状態を示す他の第２実施形態に係る可変入賞装置の斜視図である。
【図１４】図１３のＸ４−Ｘ４矢視断面図である。
【発明を実施するための形態】
【００３４】
以下、図１乃至図９を参照しつつ本発明に係る遊技機の一実施形態を説明する。図１に示すように、遊技機１は、遊技媒体として遊技球を用いるパチンコ遊技機であって、遊技盤２の縁に外側誘導レール３および内側誘導レール４が略円形に配置され、上記外側誘導レール３および内側誘導レール４によって区画された部分には遊技球が発射される遊技領域６が上記遊技盤２上に設けられている。上記遊技領域６には遊技球を誘導する誘導釘Ｊ（球案内部材の一例として機能する。）が遊技盤２の表面に設けられている。
【００３５】
また、遊技機１の前面側には、装飾ランプ等からなるランプ装置３５、発射装置へ供給する遊技球と払い出された遊技球を受けるための上側球受け皿３６、該上側球受け皿３６の満杯時に遊技球を受けるための下側球受け皿３７、効果音等を発するスピーカ３８、遊技者の発射操作に応じて遊技球を上記遊技領域６へ向けて弾発発射するための発射装置６４、遊技者による操作可能な遊技ボタンスイッチ６７が設けられている。尚、図１における符号Ｗ１は遊技機の外枠、Ｗ２は外枠Ｗ１に取り付けられた前枠、Ｇは上記前枠Ｗ２に開閉可能にヒンジで取り付けられたガラス枠である。以下、遊技機１の各構成について説明する。
【００３６】
遊技ボタンスイッチ６７は、押下可能な押しボタンスイッチからなり、正しく操作されたことを検知する接点型のリミットセンサーが内蔵され、押下操作に対応した出力信号を出力可能に構成されている。
【００３７】
上記遊技領域６の中央位置には、表示窓７が貫通形成され、その表示窓７の奥部には遊技装置の一例として機能する表示装置１０が配置されている。また、表示窓７の周縁部には、遊技盤２の前面側から突出して表示装置１０を囲む包囲枠体８が装着されている。包囲枠体８の左辺部分における上下方向の略中央部から下端寄りの位置に渡る範囲には、所謂ワープ通路である案内通路部１３が設けられている。
【００３８】
また、包囲枠体８の下辺部分には、案内通路部１３内を転動落下して排出された遊技球が転動可能な転動ステージ１５が、案内通路部１３に連続して設けられている。この案内通路部１３及び転動ステージ１５は、透明な樹脂で構成され、奥側の表示装置１０の表示部（表示領域）１１及び内部の遊技球が視認可能に構成されている。転動ステージ１５を転動して誘導溝１６に入球した遊技球は、誘導溝１６を転動しつつ前側へ案内されて、遊技盤２の前面側に排出される。
【００３９】
また、遊技領域６には、中心線上の上部から下部に向かって順に表示装置１０、上側始動入賞口４１、下側始動入賞口４２、アウト口４８が配置されている。上記上側始動入賞口４１及び下側始動入賞口４２の左には左袖入賞口５１、左落とし入賞口５２が配置されている。また、上記表示装置１０の左には普通図柄変動開始用ゲート５５が設けられ、その下方には風車７６が設けられている。また、上側始動入賞口４１の直上には、上記誘導溝１６の排出口が配置されている。
【００４０】
また、上記上側始動入賞口４１及び下側始動入賞口４２の斜め右上方には、遊技領域６の略右半分に渡って可変入賞装置４５が配置されている。上記左袖入賞口５１、左落とし入賞口５２は、それぞれ上方から入球可能な入球口を上部に有している。また、左袖入賞口５１の入賞球を検出する左袖入賞口用検出スイッチと、上記左落とし入賞口５２の入賞球を検出する左落とし入賞口用検出スイッチが、それぞれ対応する遊技盤２の背面に設けられている。
【００４１】
また、可変入賞装置４５は、後述のように背面側に設けられた可変入賞ソレノイド７１（図４〜図５参照）によって開閉する開閉扉４６を備えている。この可変入賞装置４５は、通常は開閉扉４６が閉じた状態とされ、左右方向のほぼ全幅に渡って前面部が開閉扉４６によって覆われる。そして、可変入賞装置４５は、当否判定結果が大当たりの場合に実行される大当たり遊技（特典付与）時に、開閉扉４６が所定ラウンドとして本実施形態では１５ラウンド（１５回）開放されて前方傾斜状態となり、左右方向のほぼ全幅に渡って設けられた入球口４７に遊技球が入球可能となる。可変入賞装置４５の詳細については後述する。
【００４２】
上記上側始動入賞口４１、下側始動入賞口４２、可変入賞装置４５、左袖入賞口５１、左落とし入賞口５２は、上記遊技領域６に発射された遊技球が入賞（入球）可能な複数の入賞領域に相当する。上記の各入賞口（入賞領域）に遊技球が入賞して入賞（入球）が検出されると１入賞球の検出に対して所定個数の賞品球（遊技球）が遊技者に払い出される。上記１入賞球の検出に対する賞品球の払出個数は、上記入賞口毎に設定されている。
【００４３】
上記表示装置１０は、図柄等が表示可能なものであって、液晶、ドットマトリックスもしくはＬＥＤ表示装置等の画像表示装置からなる。本実施形態では、液晶表示器（ＴＦＴ−ＬＣＤモジュール）で構成されている。
【００４４】
上記表示装置１０（表示手段）は表示部（表示領域）１１と、表示部１１の斜め左下隅部に表示される略四角形の普通図柄表示部５０とを有する。表示部１１は、特別図柄を表示したり、所定の演出映像・画像を表示するために用いられる。表示部１１には、左右に並ぶ左特別図柄（左判定図柄、左識別情報）と中特別図柄（中判定図柄、中識別情報）と右特別図柄（右判定図柄、右識別情報）が、所定時間変動表示された後、所定の演出判定結果に基づき左特別図柄、中特別図柄、右特別図柄が確定停止特別図柄（確定停止判定図柄、確定停止識別情報）として停止表示される。この際、表示部１１には、上記特別図柄に加えて演出映像・画像（キャラクタ、背景、文字等）が表示されることもある。
【００４５】
この実施形態において変動および停止表示される左特別図柄、中特別図柄、右特別図柄は、本実施形態ではそれぞれ『０，１，２，３，４，５，６，７，８，９，１０，１１』の１２通りの図柄とされている。本実施形態では、遊技の当否判定結果が大当たり（当たり）の場合には、上記表示部１１に大当たりの特別図柄組合せ、この例では『１，１，１』（いわゆる‘１’のぞろ目）や『２，２，２』（いわゆる‘２’のぞろ目）等、同一数字の組合せで特別図柄が停止表示され、遊技者に特典を付与する。具体的には、通常遊技よりも遊技者に有利な特別遊技（大当たり遊技）を実行する。通常遊技は、特別遊技以外の当否判定を行う遊技状態をいい、本実施形態では低確率状態や確変状態（高確率状態）や時短状態（時間短縮状態）が存在する。上記表示部１１は、大当たりの判定を行う特別図柄変動保留球数表示器を兼ねている（いわゆる保留球数は表示部１１に表示される）。
【００４６】
上記普通図柄表示部５０は、記号あるいは絵（キャラクタ）等の普通図柄当たりか否かの判定用普通図柄を変動表示および停止表示する。本実施形態における普通図柄表示部５０に変動および停止表示される普通図柄は、『○』と『×』の２種類からなり、普通図柄当たりの場合には当たり普通図柄『○』で停止表示され、一方、普通図柄外れの場合には外れ普通図柄『×』で停止表示される。
【００４７】
上記上側始動入賞口４１は、上方が開口した形状からなって遊技球が上方から入賞（入球）可能となっている。また、上記下側始動入賞口４２は、始動入賞領域に相当し、背面側に設けられた不図示の下側始動入賞口用ソレノイドによって開閉する開閉部材４２Ａを備えている。この下側始動入賞口４２は、通常時は開閉部材４２Ａが閉じた状態とされている。そして、上記普通図柄表示部５０で普通図柄が変動した後、普通図柄当たりを示す当たり普通図柄『○』で確定停止表示された時に、開閉部材４２Ａは、遊技球が入賞困難な閉じた状態と入賞容易な前面側へ開いた開状態との間を変化可能に制御される。
【００４８】
また、上記遊技盤２の背面には、上側始動入賞口検出スイッチ（上側始動入賞口センサ）と下側始動入賞口検出スイッチ（下側始動入賞口センサ）が入賞球用通路に設けられており、上記上側始動入賞口４１と下側始動入賞口４２への遊技球のそれぞれの入賞（入球）を検出するように構成されている。本実施形態において上記上側始動入賞口４１及び下側始動入賞口４２への遊技球の入賞（入球）検出は、所定の乱数値（数値データ）を取得するための起因および上記特別図柄の変動表示開始の起因とされている。上記上側始動入賞口４１及び下側始動入賞口４２への入賞に起因して取得した乱数値（数値データ）は、一旦保留記憶手段に記憶される。つまり、上記特別図柄（識別情報）の変動表示が保留されると共に、上記保留記憶手段に記憶した乱数値（数値データ）の記憶数（保留球数）、すなわち上記上側始動入賞口４１と下側始動入賞口４２への入賞回数が特別図柄変動保留球数として記憶される。
【００４９】
この特別図柄変動保留球数は、特別図柄変動保留球数表示器としての表示部１１に表示され、当否判定手段による当否判定が行われることに基づいて、この当否判定と対応する乱数値（数値データ）および上記特別図柄変動保留球数の記憶値（保留数）が減算され、上記表示部１１で特別図柄（識別情報）の変動表示が開始されることに基づいて、特別図柄変動保留球数表示器の保留球数の表示を減らすようにしている。尚、本実施形態では、上記上側始動入賞口４１と下側始動入賞口４２への入賞回数記憶値の上限値、すなわち特別図柄変動保留球数の上限値は当該変動中の記憶を除いて４つに設定されている。
【００５０】
上記特別図柄変動保留球数が設定上限数（４つ）まで記憶されている時には、上記上側始動入賞口検出スイッチと下側始動入賞口検出スイッチがそれ以上上記上側始動入賞口４１と下側始動入賞口４２への入賞遊技球を検出しても、特別図柄変動保留球数として記憶されない無効球とされ、その無効球については特別図柄の変動および当否判定を行うことなく、入賞に対する賞品球（賞品遊技球）が所定数払い出される。
【００５１】
上記普通図柄変動開始用ゲート５５は、上記遊技盤２の背面に設けられた普通図柄変動開始スイッチで普通図柄変動開始用ゲート５５を通過する遊技球を検出するように構成されている。そして、普通図柄変動開始用ゲート５５を通過する遊技球が検出されることに基づいて上記普通図柄表示部５０で普通図柄の変動が開始される。
【００５２】
また、上記普通図柄変動開始用ゲート５５を遊技球が通過することによって発生する普通図柄の変動を、最高４つ普通図柄変動保留球数として記憶する。具体的には、普通図柄変動保留球数表示器（図示せず）で普通図柄変動保留球数値を点灯表示する。普通図柄が変動を開始すると、普通図柄変動保留球数を減らし、普通図柄変動保留球数表示器における表示個数を減らす。
【００５３】
上記発射装置６４は、操作レバー６５の操作により駆動する発射モータを裏側に有し、この発射モータの駆動により遊技球を遊技領域６に向けて発射する。この発射装置６４により発射された発射球は、遊技盤２の表面に立設された内側誘導レール４と外側誘導レール３間で構成される発射球誘導路を介して遊技領域６に誘導される。遊技領域６に誘導された遊技球は、転動しつつ下方へ落下し、各入賞口５１、５２、可変入賞装置４５に入球（入賞）するか、あるいは何処にも入球しなければ上記アウト口４８から遊技盤２の裏側へ排出される。
【００５４】
上記遊技機１の裏側には、図２に示すように、複数の制御基板や装置等が設けられている。制御基板の主なものとして、主制御基板２００、サブ制御基板２０５、表示制御基板２１０、音声制御基板２２０、払出制御基板２４０、電源基板２５０、発射制御基板２６０等がある。符号２６５は外部端子、２８１は払出装置、２８３は球無し検出スイッチ、２８９は球貯留タンク、２９１は球誘導樋である。尚、各制御基板には制御回路が設けられている。また、各制御基板は、単独でまたは複数まとめてケースに収納された状態で遊技機１の裏側に配置されている。
【００５５】
次に、主な制御基板を、図３のブロック図を用いて簡略に示す。
主制御基板（主制御回路）２００は、遊技の進行を制御する主制御装置に相当し、少なくともＣＰＵ、ＲＡＭ、ＲＯＭおよび複数のカウンタを備えたマイクロコンピュータを備える。この主制御基板２００は、遊技情報や入球検出等の入力信号に従って遊技を制御し、遊技情報を記憶する記憶手段を備えた制御装置であって、サブ制御基板２０５および払出制御基板２４０と接続されると共に、中継回路を介して上側始動入賞口４１への入賞を検出する上側始動入賞口センサ、下側始動入賞口４２への入賞を検出する下側始動入賞口センサや可変入賞装置４５の大入賞口４７Ａ（図４参照）（入賞口の一例として機能する。）に入賞（入球）した入賞球を検出する入賞球数カウントスイッチ（入賞球数カウントセンサ）７２（図８参照）等とも接続されている。上記主制御基板２００のＣＰＵは、制御プログラムを実行して遊技情報に従って遊技に関わる主制御を行う。上記遊技情報は、少なくとも遊技状態の情報を含む。上記主制御基板２００は電源基板２５０から電源供給を受けて作動する。
【００５６】
上記主制御基板２００におけるＣＰＵは、制御部、演算部、各種カウンタ、各種レジスタ、各種フラグ等を備え、演算制御を行う他、乱数値（数値データ）を生成し、また制御信号（コマンドとも称される）を、主制御基板２００と接続されている各基板（各制御装置）等へ出力（送信）可能に構成されている。また、上記主制御基板２００のＣＰＵは、制御プログラムを実行して遊技情報に従って遊技に関わる主制御を行う。遊技情報は、少なくとも遊技状態の情報を含み、当否判定に関する確率情報や、各入賞装置への入賞情報や、払出情報、ランド状態、演出に関する情報等、遊技の進行に必要な情報である。尚、上記主制御基板２００のＣＰＵは、普通図柄当たりの当否判定や、大当たりの当否判定を行う当否判定手段としても機能する。
【００５７】
上記主制御基板２００から出力される制御信号（コマンド）やデータとして、各種入賞コマンド、次回大当たりコマンド、特別図柄（識別情報）や後述する演出態様を変動パターンに基づいて変動表示（演出表示）させるための変動コマンド、特別図柄の変動を停止させるための変動停止コマンド、状態コマンド、大当たり当否判定結果データ、普通図柄当たりの当否判定結果データ、数値データ取得手段で取得した数値データ、電源投入時、異常時、大当たりラウンド時のデータ等を挙げることができる。尚、上記状態コマンドには、上記表示装置１０で客待ち状態の表示行うための客待ち状態、低確率状態、確変状態（高確率状態）、時短状態、大当たり状態等がある。
【００５８】
上記ＲＡＭは、本発明において、上側始動入賞口検出スイッチ及び下側始動入賞口検出スイッチにより入賞を検出したときに数値データ取得手段が取得した数値データを取得順に記憶可能な保留記憶手段に相当し、取得した数値データや保留球数の記憶領域、普通図柄変動開始スイッチで検出された遊技球の普通図柄変動保留球数の記憶領域、ＣＰＵで生成される各種乱数値用の記憶領域、遊技に必要な遊技データ等の各種データ等を一時的に記憶する記憶領域、フラグおよびＣＰＵの作業領域を備える。
【００５９】
上記ＲＯＭは、上記ＣＰＵのための制御プログラムや制御データ、上記表示部１１での変動表示に関する変動パターンや図柄データ等が書き込まれている他、大当たりおよび普通図柄当たりの判定値等が書き込まれている。
【００６０】
サブ制御基板２０５は、主制御基板（回路）２００から送信される制御信号に基づき電気装置の制御を行う従制御装置に相当し、ＣＰＵ、ＲＯＭ、ＲＡＭ、複数のカウンタを備えたマイクロコンピュータと、上記主制御基板２００とを結ぶ入出力回路と、表示制御基板２１０やランプ中継基板、音声制御基板２２０、遊技ボタンスイッチ６７及び外部端子２６５とを結ぶ入出力回路を備えている。電気装置としては、ランプ装置３５、表示制御基板２１０、音声制御基板２２０が挙げられる。さらには、上記表示制御基板２１０に接続されている表示装置１０、上記音声制御基板２２０に接続されているスピーカ３８等についても、上記サブ制御基板２０５が制御する電気装置として挙げられる。本実施形態ではサブ制御基板２０５はランプ制御基板を兼ねている。
【００６１】
上記サブ制御基板２０５のＲＯＭには、制御用のプログラムやデータおよび定数、上記表示部１１で表示される複数の演出のデータ等が記憶されている。一方、上記サブ制御基板２０５のＲＡＭは、遊技情報の記憶領域、各種データの記憶領域、ＣＰＵによる作業領域等を有する。上記ランプ中継基板には、装飾ランプ等のランプ装置３５が接続され、上記サブ制御基板２０５からランプ中継基板に送信された制御信号（指令信号）によって、ランプ装置３５の作動を制御する。上記サブ制御基板２０５は電源基板２５０から電源供給を受けて作動する。
【００６２】
表示制御基板２１０は、ＣＰＵ、ＲＯＭ、ＲＡＭを備えたマイクロコンピュータと、上記サブ制御基板２０５を結ぶ入力回路と上記表示装置１０、普通図柄表示部５０を結ぶ出力回路等で構成され、上記サブ制御基板２０５から出力される制御信号に基づき、上記表示装置１０、普通図柄表示部５０に対して表示の制御を行う。
【００６３】
音声制御基板２２０は、上記サブ制御基板２０５から出力される信号により音声信号を合成し、アンプに出力する。アンプは音声信号を増幅してスピーカ３８に出力する。
【００６４】
払出制御基板２４０は、遊技球の払出を制御する払出制御手段に相当し、ＣＰＵ、ＲＯＭ、ＲＡＭを備えたマイクロコンピュータを有する。払出制御基板２４０は、上記主制御基板２００と電気的接続手段で接続され、主制御基板２００から出力される制御信号を受信して払出装置２８１を制御する。この払出制御基板２４０は電源基板２５０から供給される電源によって作動する。払出制御基板２４０のＲＯＭには、制御用のプログラムが記憶されている。払出制御基板２４０のＲＡＭは、種々の入賞口への入賞検出に基づき上記払出装置２８１により払い出される賞品球（遊技球）の払出個数を、１入賞球の検出に対する払出個数毎に記憶可能である。
【００６５】
電源基板２５０は、遊技機１の外部より供給される主電源から遊技機１に適する所定電圧の遊技機用電源を生成して主制御基板２００やサブ制御基板２０５、払出制御基板２４０等に供給するものであり、電源装置に相当する。上記主電源は、遊技店側で所要の電圧、本実施形態では交流（ＡＣ）２４Ｖに変換されて供給される。発射制御基板２６０は、上記発射装置６４における発射モータの制御を行う。
【００６６】
ここで遊技機１の遊技について簡単に説明する。上記遊技機１においては、遊技領域６へ向けて発射装置６４により発射された遊技球が、上記種々の入賞口に入賞すると入賞口に応じた所定数の遊技球が賞球として上側球受け皿３６に払い出される。また、上記普通図柄変動開始用ゲート５５を遊技球が通過すると、上記普通図柄表示部５０で普通図柄が変動を開始し、所定時間変動した後に停止する。その際、普通図柄当たりの場合には、上記普通図柄表示部５０で『○』が表示され、上記下側始動入賞口４２の開閉部材４２Ａが背面の下側始動入賞口用ソレノイドによって閉じた状態から入賞し易い前側に開いた開放状態に変化し、遊技球が入賞し易くなる。そして、上記下側始動入賞口４２に遊技球が入球して下側始動入賞口検出スイッチで検出される（入賞する）と、所定数の遊技球が賞球として払い出される。
【００６７】
また、上記上側始動入賞口４１又は下側始動入賞口４２に遊技球が入賞したことを起因に、大当たり乱数値、リーチ乱数値、変動パターン乱数値等の数値データが取得される。取得された乱数値（数値データ）は、主制御基板２００のＲＡＭ（保留記憶手段）に記憶されて特別図柄の変動、当否判定および当否判定結果の表示が保留されると共に、大当たり乱数値（数値データ）の記憶数、すなわち上記上側始動入賞口４１又は下側始動入賞口４２への入賞回数が特別図柄変動保留球数として上記主制御基板２００のＲＡＭ（保留記憶手段）に記憶される。
【００６８】
上記主制御基板２００のＲＡＭ（保留記憶手段）に乱数値（数値データ）の記憶（保留）がある場合、特別図柄の変動表示を開始する前に大当たりの当否判定とリーチ有無の判定等が行われると共に、変動パターン決定用乱数値等に基づいて変動パターンテーブルより変動パターンが選択され、この選択された変動パターンがサブ制御基板２０５に出力され、特別図柄の変動表示が上記表示部１１で開始される。特別図柄の変動表示の開始は、上記ＲＡＭ（保留記憶手段）に記憶されている乱数値（数値データ）の取得順番、すなわち上側始動入賞口４１又は下側始動入賞口４２に入賞した順番に従って実行される。また、記憶されている乱数値（数値データ）は、当否判定手段による当否判定が行われることに基づいてＲＡＭ（保留記憶手段）から消去される。
【００６９】
上記特別図柄の変動表示開始から所定時間（変動パターン毎に設定されている変動時間）経過後、特別図柄が変動停止して大当たりの当否判定結果が上記表示部１１に表示される。
【００７０】
当否判定結果が大当たりの場合、上記表示部１１に上記特別図柄が『５、５、５』等のぞろ目で停止表示される。大当たりになると、特別遊技（大当たり遊技）が実行される。特別遊技状態（大当たり遊技状態）になると、上記可変入賞装置４５の開閉扉４６が開いて前方傾斜状態となり、遊技領域６の略右半分の表面を落下してくる遊技球を受け止め易くして、入球口４７へ入球（入賞）可能にし、この入球口４７内に設けられた大入賞口４７Ａへの入賞があると、所定数の遊技球が賞球（特典）として払い出される。上記開閉扉４６は、所定時間経過後、あるいは入賞球数が所定個数となった時点で閉じるようにされ、所定ラウンド（所定回数）上記開閉扉４６の開閉を繰り返す。
【００７１】
本実施形態では、１５ラウンド（１５Ｒ）に設定されており、大当たりの場合に上記開閉扉４６の開閉が１５ラウンド繰り返される。大当たりが通常大当たり（偶数の特別図柄のぞろ目）であれば、大当たり遊技の終了後、当否判定が最大１００回行われるまで時短状態とされる。大当たりが確変大当たり（奇数の特別図柄のぞろ目）であれば、大当たり遊技の終了後、次に大当たりとなるまで確変状態（高確率状態）かつ時短状態とされる。
【００７２】
次に、可変入賞装置４５の概略構成について図４乃至図９に基づいて説明する。図４乃至図６に示すように、可変入賞装置４５は、横長で前面側が開放される略箱体状の装置筐体７３と、装置筐体７３の前面に配設され、遊技盤２の前面に取り付けられて、遊技盤２の前面の一部を構成することとなる薄板状で略横長四角枠状の取付板７５とを備えている。従って、取付板７５の内側には、前後方向に装置筐体７３内に貫通する正面視横長四角形の入球口４７が開口されている。この装置筐体７３と取付板７５は、上側始動入賞口４１及び下側始動入賞口４２の斜め右上方における遊技領域６の略右半分に渡って配置可能な横幅を有している。
【００７３】
また、可変入賞装置４５の開閉扉４６は、薄板状で入球口４７とほぼ同じ形状の横長四角形に形成され、左右側縁部の下端から外側に突出する一対の回転軸７７（図５には、右側の回転軸７７が示されている。）が、入球口４７の周縁に軸支されている。また、図４及び図８に示すように、装置筐体７３の前面側の開口部７３Ａは、上端縁部が左右方向全幅に渡って所定高さ（例えば、高さ約２ｍｍである。）だけ下側に突出して、開閉扉４６が閉じられた際に、開閉扉４６の内側上辺部が当接可能に構成され、開閉扉４６の前面部と取付板７５の前面部とが略面一になるように構成されている。また、開口部７３Ａの左右方向の幅は、入球口４７の左右方向の幅よりも少し大きくなるように形成されている。
【００７４】
図４（Ｂ）、図５及び図６に示すように、開閉扉４６の右側縁部には、薄板状の側壁部７８が設けられている。側壁部７８は、開閉扉４６の内側面からほぼ直角に立設され、開閉扉４６の上端縁部から下端縁部に向かうに従って高くなる側面視略直角三角形状に形成されている。また、側壁部７８の回転軸７７よりも後側部分には、小径のボス部７９が左右方向外側へ突出するように設けられている。
【００７５】
また、装置筐体７３の右端側背面には、可変入賞ソレノイド７１が取り付けられている。この可変入賞ソレノイド７１は、軸心方向に移動可能なプランジャ７１Ａと、プランジャ７１Ａを軸心方向外側へ常時付勢する圧縮コイルバネ７１Ｂとを備えている。そして、開閉扉４６は、屈曲アーム８１によって可変入賞ソレノイド７１に連結されている。具体的には、屈曲アーム８１の一端部８１Ａは、可変入賞ソレノイド７１のプランジャ７１Ａに、前後方向に摺動移動可能に接続され、他端部８１Ｂは、先端からコの字状に切り欠かれた溝部に開閉扉４６のボス部７９が挿通されて、当該ボス部７９に連結されている。
【００７６】
また、屈曲アーム８１の長さ方向略中央部分の屈曲部８１Ｃには、可変入賞ソレノイド７１の側面部に立設された軸部８２が挿嵌され、軸部８２を中心として回動可能に軸支されている。そして、図５に示すように、可変入賞ソレノイド７１が消磁され、プランジャ７１Ａが圧縮コイルバネ７１Ｂの付勢力によって上方に直動すると、屈曲アーム８１が軸部８２を中心にして反時計回りに回動し、屈曲アーム８１の他端部８１Ｂが下方に移動する。すると、開閉扉４６のボス部７９が下方に移動されるため、開閉扉４６が回転軸７７を中心に時計回り方向に回動され、開口部７３Ａに上端部が当接されて、開閉扉４６の前面部が取付板７５の前面部と略面一になるように起立し、入球口４７が開閉扉４６によって閉塞された閉塞状態となる。
【００７７】
また、図６に示すように、可変入賞ソレノイド７１が励磁され、プランジャ７１Ａが圧縮コイルバネ７１Ｂの付勢力に抗して下方に直動すると、屈曲アーム８１が軸部８２を中心にして時計回りに回動し、屈曲アーム８１の他端部８１Ｂが上方に移動する。すると、開閉扉４６のボス部７９が上方に移動されるため、開閉扉４６が回転軸７７を中心に反時計回り方向に回動され、取付板７５に対して所定角度（例えば、約７５度である。）前側に倒された前方傾斜状態となり、入球口４７が開放状態となる。
【００７８】
また、図４（Ｂ）及び図７に示すように、入球口４７の左右方向中央部には、装置筐体７３の内部を左右に２分割する一対の仕切り壁部８３が所定隙間（例えば、約３ｍｍの隙間である。）を形成するように相対向して配置されている。そして、一対の仕切り壁部８３で分割された装置筐体７３内の左側の分割領域に前側が開放された略箱体状の大入賞口４７Ａが設けられ、右側の分割領域に前側が開放された排出口４７Ｂが設けられている。尚、装置筐体７３内の左側の分割領域に排出口４７Ｂが設けられ、右側の分割領域に大入賞口４７Ａを設けるようにしてもよい。
【００７９】
一方、開閉扉４６の内側面（図４（Ｂ）中、上側面）の左右方向略中央部には、一対の仕切り壁部８３の間に挿入される、薄板状の仕切り部材８５が設けられている。仕切り部材８５は、開閉扉４６の内側面からほぼ直角に立設され、開閉扉４６の上端縁部から下端縁部に向かうに従って高くなる側面視略１／４円形状に形成されている。これにより、図７に示すように、開閉扉４６が開放されて前方傾斜状態になった際に、開閉扉４６上に落下した遊技球は、仕切り部材８５によって大入賞口４７Ａ又は排出口４７Ｂのどちらかに振り分けられて入球する。
【００８０】
また、略箱体状の大入賞口４７Ａの底面部は、右側斜め下方向に傾斜して、右端部に遊技球が入球（入賞）可能な入賞孔８６が形成されている。また、図８に示すように、入賞孔８６の流出側端面部（図８中、下端面部）には、この入賞孔８６へ入球（入賞）した遊技球をカウントする入賞球数カウントスイッチ（入賞球数カウントセンサ）７２が設けられている。そして、入賞球数カウントスイッチ７２を通過した遊技球は、背面側に配置された不図示の遊技球回収装置に案内されるように構成されている。従って、入賞球数カウントスイッチ７２を介して、大入賞口４７Ａに入球（入賞）した遊技球の球数をカウント可能に構成されている。従って、大入賞口４７Ａに入球（入賞）した遊技球に対して賞球が払い出される、つまり、特典が付与される。
【００８１】
また、略箱体状の排出口４７Ｂの底面部は、右側斜め下方向に傾斜して、右端部に遊技球が入球可能な排出孔８７が形成されている。そして、図９に示すように、排出孔８７を通過した遊技球は、カウントされることなく、背面側に配置された不図示の遊技球回収装置に案内されるように構成されている。従って、排出口４７Ｂに入球した遊技球に対して賞球は払い出されない、つまり、特典は付与されない。
【００８２】
ここで、上記のように構成された可変入賞装置４５の開閉扉４６が開放されて前方傾斜状態になった際に、遊技領域６の略右半分の部分を流下してくる遊技球が複数の誘導釘Ｊによって誘導される一例について図７乃至図９に基づいて説明する。図７に示すように、遊技盤２の前面から突出する包囲枠体８と装飾部材９１の間の直下には、５本の誘導釘Ｊが左下がりに傾斜した架空の線に沿って隣接して並べられた誘導部９２が設けられている。また、包囲枠体８と装飾部材９１の間の直下には、可変入賞装置４５の排出口４７Ｂが配置されている。
【００８３】
また、誘導部９２の斜め右上側には、遊技球、１個分より少し大きい間隔だけ離れて、２本の誘導釘Ｊが同じ架空の線に沿って隣接して並べられ、遊技球が下方に通過可能な通過口９３が形成されている。また、通過口９３の直下には、遊技球、２個分程度離れて、３本の誘導釘Ｊが左下がりに傾斜した架空の線に沿って隣接して並べられた誘導部９５が設けられている。この誘導部９５の斜め右上側には、遊技球、１個分より少し大きい間隔だけ離れて、３本の誘導釘Ｊが右斜め上方向に並べられると共に、誘導部９５の右側には、遊技球、１個分より少し大きい間隔だけ離れて、１本の誘導釘Ｊが配置され、遊技球が下方に通過可能な通過口９６が、開閉扉４６の右端部上方に形成されている。
【００８４】
また、誘導部９５の斜め左下側には、遊技球、約２個分離れて、５本の誘導釘Ｊが誘導部９５の配置された架空の線に沿って開閉扉４６の中央部よりも少し左側まで並べられた誘導部９７が設けられている。これにより、誘導部９５と誘導部９７との間には、遊技球が通過可能な通過口９８が、開閉扉４６の中央位置と右端部との略中央部分、つまり、排出口４７Ｂの左右方向の略中央部の上方に形成される。
【００８５】
また、誘導部９２の斜め左下側には、遊技球、１個分より少し大きい間隔だけ離れて、１本の誘導釘９９が誘導部９２の配置された同じ架空の線に沿って配置され、誘導部９７の上方に、遊技球が下方に通過可能な通過口１０１が形成されている。また、誘導釘９９の斜め左上側、及び、左側には、遊技球、１個分より少し大きい間隔だけ離れて、それぞれ１本の各誘導釘１０２、１０３が配置され、誘導部９２上を誘導された遊技球が斜め左下方向へ通過可能な通過口１０５が形成されている。
【００８６】
また、誘導釘１０３の左側には、遊技球、３個分より少し大きい間隔だけ離れて、３本の誘導釘Ｊが左下がりに傾斜した架空の線に沿って隣接して並べられた誘導部１０６が設けられ、遊技球が下方に通過可能な通過口１０７が、開閉扉４６の中央位置と左端部との間の部分、つまり、大入賞口４７Ａの直上に形成される。また、誘導部１０６の下端部と、誘導部９７の左端部との間に、遊技球が下方に通過可能な通過口１０８が、開閉扉４６の中央位置と左端部との間の部分、つまり、大入賞口４７Ａの直上に形成される。
【００８７】
また、誘導部１０６の下端の誘導釘Ｊは、開閉扉４６の左端部の斜め左上側に配置されているため、通過口１０７を通過して誘導部１０６に衝突する遊技球は、斜め右下側へ跳ね返り、通過口１０８を通過して開閉扉４６の中央位置に設けられた仕切り部材８５と開閉扉４６左端部との間の部分に流下するように構成されている。
【００８８】
従って、図７に示すように、遊技盤２の前面から突出する包囲枠体８と装飾部材９１の間を流下した遊技球は、誘導部９２に衝突して左右どちらかに跳ね返る。そして、誘導部９２の右端に形成された通過口９３を通過した遊技球は、下方に配置された誘導部９５に衝突して左右どちらかに跳ね返り、誘導部９５の左右に形成された各通過口９６、９８を通過した場合には、通過したほとんどの遊技球が、開閉扉４６の中央位置に設けられた仕切り部材８５と右端に設けられた側壁部７８との間に流下して排出口４７Ｂに入球する。また、各通過口９６、９８を通過した一部の遊技球が、開閉扉４６の右外側に流下して可変入賞装置４５の入球口４７に入球することなく遊技領域６を流下するように誘導される。
【００８９】
つまり、誘導部９２に衝突した後、通過口９３に入った遊技球は、各通過口９３、９６、９８を通過する排出側分岐通路１０９を流下して、通過口９３に入った遊技球のうちのほとんどの遊技球が、排出口４７Ｂに入球する。また、通過口９３に入った遊技球のうちの一部の遊技球が、入球口４７に入球しないように誘導される。
【００９０】
そして、図７に示すように、開閉扉４６の中央位置に設けられた仕切り部材８５と右端に設けられた側壁部７８との間に流下して排出口４７Ｂに入球した遊技球は、図９に示すように、排出口４７Ｂの底面部に形成された排出孔８７を通過して、カウントされることなく、背面側に配置された不図示の遊技球回収装置に案内される。
【００９１】
一方、図７に示すように、包囲枠体８と装飾部材９１の間を流下して誘導部９２に衝突した後、誘導部９２の左端に形成された通過口１０１に入った遊技球は、通過口１０１の下方に配置された誘導部９７に誘導される。この誘導部９７に衝突した遊技球は、斜め左下側へ誘導されて、誘導部９７の左側に設けられた通過口１０８へ誘導される。そして、通過口１０８を通過した遊技球のうちのほとんどの遊技球が、開閉扉４６の中央位置に設けられた仕切り部材８５と開閉扉４６の左端部との間に流下して大入賞口４７Ａに入球する。また、通過口１０８を通過した遊技球のうちの一部の遊技球が、開閉扉４６の左外側に流下して可変入賞装置４５の入球口４７に入球することなく遊技領域６を流下するように誘導される。
【００９２】
また、誘導部９２に衝突した後、誘導部９２の左端の斜め左上側に形成された通過口１０５を通過した遊技球は、各通過口１０７、１０８を下方に流下するか、若しくは、通過口１０７を通過した後、誘導部１０６に衝突して跳ね返り、斜め右下側へ誘導されて通過口１０８を通過するように誘導される。そして、通過口１０８を通過したほぼ全部の遊技球は、開閉扉４６の中央位置に設けられた仕切り部材８５と開閉扉４６の左端部との間に流下して大入賞口４７Ａに入球するように誘導される。
【００９３】
つまり、誘導部９２に衝突した後、誘導部９２の左端に形成された通過口１０１、若しくは、誘導部９２の左端の斜め左上側に形成された通過口１０５に入った遊技球は、各通過口１０１、１０５、１０７、１０８を通過する大入賞口側分岐通路１１１を流下する。そして、大入賞口側分岐通路１１１を流下した遊技球のうちのほとんどの遊技球が、大入賞口４７Ａに入球する。また、大入賞口側分岐通路１１１を流下した遊技球のうちの一部の遊技球が、入球口４７に入球しないように誘導される。
【００９４】
そして、図７に示すように、開閉扉４６の中央位置に設けられた仕切り部材８５と開閉扉４６の左端との間に流下して大入賞口４７Ａに入球（入賞）した遊技球は、図８に示すように、大入賞口４７Ａの底面部に形成された入賞孔８６及び入賞球数カウントスイッチ７２を通過してカウントされた後、背面側に配置された不図示の遊技球回収装置に案内される。
【００９５】
尚、上記上側始動入賞口４１及び下側始動入賞口４２の斜め左上方に、遊技領域６の略左半分に渡って可変入賞装置４５が配置され、上記左袖入賞口５１、左落とし入賞口５２を上記上側始動入賞口４１及び下側始動入賞口４２の右側の遊技領域６に配置するように構成してもよい。
【００９６】
以上詳細に説明した通り、本実施形態に係る遊技機１では、上側始動入賞口４１及び下側始動入賞口４２の斜め右上方には、遊技領域６の略右半分に渡って可変入賞装置４５が配置されている。この可変入賞装置４５は、通常は開閉扉４６が閉じた状態とされ、左右方向のほぼ全幅に渡って前面部が開閉扉４６によって覆われる。そして、可変入賞装置４５は、大当たり遊技（特典付与）時に、開閉扉４６が１５ラウンド（１５回）開放されて前方傾斜状態となり、左右方向のほぼ全幅に渡って設けられた入球口４７に遊技球が入球可能となる。
【００９７】
これにより、大当たり遊技時において、遊技領域６の右側領域を流下する遊技球のほぼ全部が開閉扉４６上に流下して、入球口４７に入球するため、遊技者は従来以上の爽快感を得ることができ、大当たり遊技状態（特別遊技状態）における可変入賞装置４５の入球口４７に入球する遊技球の動きに対する趣向性を確実に高めることが可能となる。
【００９８】
また、入球口４７内は一対の仕切り壁部８３によって左右に仕切られて、左側の分割領域に大入賞口４７Ａが設けられ、右側の分割領域に、入球した遊技球に対する賞球を付与することなく排出する排出口４７Ｂが設けられている。これにより、可変入賞装置４５の横幅、つまり、開閉扉４６の横幅を容易に大きくして、大当たり遊技状態における可変入賞装置４５の入球口４７に入球する遊技球の動きに対する趣向性を高めることが可能となる。また、可変入賞装置４５の構造の簡素化を図ることが可能となる。
【００９９】
また、排出口４７Ｂに入球した遊技球に対して賞球が付与されないため、開閉扉４６の横幅を大きくしても大当たり遊技の遊技時間を従来の大当たり遊技の遊技時間とほぼ同じにすることが可能となる。また、排出口４７Ｂに入球した遊技球に対して賞球が付与されないため、遊技機１の制御プロガラムは従来と同様にすることができる。また、大当たり遊技状態において、開閉扉４６上に落下して大入賞口４７Ａと排出口４７Ｂに入球した遊技球は遊技領域６に排出されないため、遊技者に対して多くの遊技球が大入賞口４７Ａに入球したかのように見せることが可能となり、特別遊技状態における可変入賞装置４５に入球する遊技球の動きに対する趣向性を高めることが可能となる。
【０１００】
また、開閉扉４６の内側面の左右方向略中央部には、一対の仕切り壁部８３の間に挿入される薄板状の仕切り部材８５が設けられているため、前方傾斜状態の開閉扉４６の上側面を転動する遊技球の落下位置から大入賞口４７Ａに入球するまでの転動距離を短くすることが可能となる。従って、大入賞口４７Ａ内への余分な遊技球の入球を抑止することが可能となる。
【０１０１】
また、上側始動入賞口４１及び下側始動入賞口４２の斜め右上方の遊技領域６を流下する遊技球は、先ず、５本の誘導釘Ｊによって構成された誘導部９２に衝突した後、排出側分岐通路１０９又は大入賞口側分岐通路１１１のうちの一方を通過するように構成されている。そして、排出側分岐通路１０９を通過した遊技球のうちのほとんどの遊技球が、排出口４７Ｂに入球し、一部の遊技球が、入球口４７に入球しないように入球口４７の右外側へ誘導される。また、大入賞口側分岐通路１１１を通過した遊技球のうちのほとんどの遊技球が、大入賞口４７Ａに入球し、一部の遊技球が、入球口４７に入球しないように入球口４７の左外側へ誘導される。これにより、簡易な構成で遊技球を大入賞口４７Ａと排出口４７Ｂに誘導することが可能となる。
【０１０２】
尚、本発明は前記実施形態に限定されることはなく、本発明の要旨を逸脱しない範囲内で種々の改良、変形が可能であることは勿論である。例えば、以下のようにしてもよい。
【０１０３】
［他の第１実施形態］
（Ａ）例えば、他の第１実施形態に係る遊技機１２１について図１０乃至図１２に基づいて説明する。尚、前記実施形態に係る遊技機１と同一符号は、前記実施形態に係る遊技機１と同一あるいは相当する部分を示すものである。
【０１０４】
この他の第１実施形態に係る遊技機１２１の全体構成は、前記実施形態に係る遊技機１とほぼ同じ構成である。また、他の第１実施形態に係る遊技機１２１の制御構成及び制御処理は、前記実施形態に係る遊技機１の制御構成及び制御処理とほぼ同じである。
【０１０５】
但し、図１０及び図１２に示すように、他の第１実施形態に係る遊技機１２１では、可変入賞装置４５に替えて、可変入賞装置４５よりも左右方向の横幅が大きい可変入賞装置１２２が配設されている点で異なっている。
【０１０６】
可変入賞装置１２２の概略構成について図１０及び図１１に基づいて説明する。図１０及び図１１に示すように、可変入賞装置１２２は、横長で前面側が開放される略箱体状の装置筐体１２３と、装置筐体１２３の前面に配設され、遊技盤２の前面に取り付けられて、遊技盤２の前面の一部を構成することとなる薄板状で略横長四角枠状の取付板１２５とを備えている。従って、取付板１２５の内側には、前後方向に装置筐体１２３内に貫通する正面視横長四角形の入球口１２７が開口されている。この装置筐体１２３と取付板１２５は、上側始動入賞口４１及び下側始動入賞口４２の斜め右上方における遊技領域６の略右半分に渡って配置可能な横幅を有している。
【０１０７】
また、取付板１２５の下端縁部の左右方向略中央位置には、下端縁部から下方に延出された正面視縦長四角形の延出部１２５Ａが設けられている。また、延出部１２５Ａの左右方向中央位置には、遊技球が通過可能な正面視Ｕ字状の前面側排出孔１２５Ｂが貫通されている。
【０１０８】
また、可変入賞装置１２２の開閉扉１２８は、薄板状で入球口１２７とほぼ同じ形状の横長四角形に形成され、左右側縁部の下端から外側に突出する一対の回転軸７７（図５参照）が、入球口１２７の周縁に軸支されている。また、図１１に示すように、装置筐体１２３の前面側の開口部１２３Ａは、上端縁部が左右方向全幅に渡って所定高さ（例えば、高さ約２ｍｍである。）だけ下側に突出して、開閉扉１２８が閉じられた際に、開閉扉１２８の内側上辺部が当接可能に構成され、開閉扉１２８の前面部と取付板１２５の前面部とが略面一になるように構成されている。また、装置筐体１２３の開口部１２３Ａの左右方向の幅は、入球口１２７の左右方向の幅よりも少し大きくなるように形成されている。
【０１０９】
図１０（Ｂ）、及び上記図５、図６に示すように、開閉扉１２８の右側縁部には、薄板状で側面視略直角三角形状の側壁部７８が設けられている。また、側壁部７８の回転軸７７よりも後側部分には、小径のボス部７９が左右方向外側へ突出するように設けられている。また、装置筐体１２３の右端側背面には、上記可変入賞ソレノイド７１が取り付けられている。そして、開閉扉１２８の側壁部７８に設けられたボス部７９は、上記屈曲アーム８１によって可変入賞ソレノイド７１に連結されている。
【０１１０】
従って、可変入賞ソレノイド７１が消磁され、プランジャ７１Ａが圧縮コイルバネ７１Ｂの付勢力によって上方に直動すると、屈曲アーム８１が軸部８２を中心にして反時計回りに回動し、屈曲アーム８１の他端部８１Ｂが下方に移動する。すると、開閉扉１２８のボス部７９が下方に移動されるため、開閉扉１２８が回転軸７７を中心に時計回り方向に回動され、開口部１２３Ａに上端部が当接されて、開閉扉１２８の前面部が取付板１２５の前面部と略面一になるように起立し、入球口１２７が開閉扉１２８によって閉塞された閉塞状態となる（図１０（Ａ）の状態である）。
【０１１１】
また、可変入賞ソレノイド７１が励磁され、プランジャ７１Ａが圧縮コイルバネ７１Ｂの付勢力に抗して下方に直動すると、屈曲アーム８１が軸部８２を中心にして時計回りに回動し、屈曲アーム８１の他端部８１Ｂが上方に移動する。すると、開閉扉１２８のボス部７９が上方に移動されるため、開閉扉１２８が回転軸７７を中心に反時計回り方向に回動され、取付板１２５に対して所定角度（例えば、約７５度である。）前側に倒された前方傾斜状態となり、入球口１２７が開放状態となる（図１０（Ｂ）の状態である）。
【０１１２】
また、図１０（Ｂ）及び図１２に示すように、入球口１２７の左右方向中央部には、大入賞口４７Ａと排出口４７Ｂとに挟まれた状態で、排出口４７Ｂとほぼ同じ開口部を前面側に有する誘導口１３１が設けられている。従って、可変入賞装置１２２の左右方向の幅は、上記可変入賞装置４５の左右方向の幅よりも誘導口１３１の左右方向の幅分だけ広くなるように構成されている。
【０１１３】
大入賞口４７Ａと誘導口１３１との左右方向の間には、装置筐体１２３の内部を左右方向に分割する一対の仕切り壁部８３が所定隙間（例えば、約３ｍｍの隙間である。）を形成するように相対向して配置されている。また、誘導口１３１と排出口４７Ｂとの間には、装置筐体１２３の内部を左右方向に分割する仕切り壁部１３２が配置されている。
【０１１４】
そして、一対の仕切り壁部８３で分割された装置筐体１２３内の左側の分割領域に前側が開放された略箱体状の上記大入賞口４７Ａが設けられている。また、一対の仕切り壁部８３と仕切り壁部１３２とによって挟まれた装置筐体１２３内の中央の分割領域に前側が開放された略箱体状の誘導口１３１が設けられている。また、仕切り壁部１３２で分割された装置筐体１２３内の右側の分割領域に前側が開放された略箱体状の上記排出口４７Ｂが設けられている。尚、装置筐体１２３内の誘導口１３１を挟んで、左側の分割領域に排出口４７Ｂが設けられ、右側の分割領域に大入賞口４７Ａを設けるようにしてもよい。
【０１１５】
一方、開閉扉１２８の内側面（図１０（Ｂ）中、上側面）の一対の仕切り壁部８３の左右方向中央部に対向する位置には、一対の仕切り壁部８３の間に挿入される、薄板状で側面視略１／４円形状に形成された仕切り部材８５が設けられている。これにより、図１２に示すように、開閉扉１２８が開放されて前方傾斜状態になった際に、開閉扉１２８上に落下した遊技球は、仕切り部材８５によって大入賞口４７Ａ又は誘導口１３１のどちらかに振り分けられて入球する。
【０１１６】
また、略箱体状の大入賞口４７Ａの底面部は、右側斜め下方向に傾斜して、右端部に遊技球が入球（入賞）可能な入賞孔８６が形成されている。また、上記図８に示すように、入賞孔８６の流出側端面部（下端面部）には、この入賞孔８６へ入球（入賞）した遊技球をカウントする入賞球数カウントスイッチ（入賞球数カウントセンサ）７２が設けられている。そして、入賞球数カウントスイッチ７２を通過した遊技球は、背面側に配置された不図示の遊技球回収装置に案内されるように構成されている。従って、大入賞口４７Ａに入球（入賞）した遊技球に対して賞球が払い出される、つまり、特典が付与される。
【０１１７】
また、略箱体状の誘導口１３１の底面部は、左右両端部から中央部に向かって斜め下方向に傾斜して、左右方向中央部に遊技球が入球可能な排出孔１３３が形成されている。また、装置筐体１２３の下端面の左右方向中央部には、取付板１２５の延出部１２５Ａの左右方向の幅より少し狭い左右方向の幅で、且つ、上下方向の高さが、延出部の上下方向の高さよりも少し低い高さで、前後方向の全幅に渡って突出された略直方体状の突出部１３５が設けられている。
【０１１８】
この突出部１３５内には、誘導口１３１の底面部に形成された排出孔１３３に一端側が接続されると共に、他端側が取付板１２５の延出部１２５Ａに形成された前面側排出孔１２５Ｂに接続される球通路１３６が設けられている。この球通路１３６は、側面視前側方向へ略直角に屈曲すると共に、底面部が斜め下方向に傾斜して、排出孔１３３に入球した遊技球が通過した後、カウントされることなく、前面側排出孔１２５Ｂから再度、遊技領域６へ流下可能に構成されている。従って、排出孔１３３に入球した遊技球に対して賞球は払い出されない、つまり、特典は付与されない。
【０１１９】
また、略箱体状の排出口４７Ｂの底面部は、右側斜め下方向に傾斜して、右端部に遊技球が入球可能な排出孔８７が形成されている。そして、上記図９に示すように、排出孔８７を通過した遊技球は、カウントされることなく、背面側に配置された不図示の遊技球回収装置に案内されるように構成されている。従って、排出口４７Ｂに入球した遊技球に対して賞球は払い出されない、つまり、特典は付与されない。
【０１２０】
ここで、上記のように構成された可変入賞装置１２２の開閉扉１２８が開放されて前方傾斜状態になった際に、遊技領域６の略右半分の部分を流下してくる遊技球が複数の誘導釘Ｊによって誘導される一例について図１１及び図１２に基づいて説明する。図１２に示すように、可変入賞装置１２２の上方には、５本の誘導釘Ｊが左下がりに傾斜した架空の線に沿って隣接して並べられた誘導部１４１が設けられている。また、誘導部１４１の下方には、可変入賞装置１２２の誘導口１３１と排出口４７Ｂが配置されている。
【０１２１】
また、誘導部１４１の斜め右上側には、遊技球、１個分より少し大きい間隔だけ離れて、３本の誘導釘Ｊが同じ架空の線に沿って隣接して並べられ、遊技球が下方に通過可能な通過口１４２が形成されている。また、通過口１４２の直下には、遊技球、３個分程度離れて、３本の誘導釘Ｊが隣接して略水平に並べられた誘導部１４３が設けられている。この誘導部１４３の斜め右上側には、遊技球、１個分より大きい間隔だけ離れて、３本の誘導釘Ｊが右斜め上方向に並べられ、遊技球が下方に通過可能な通過口１４５が形成されている。
【０１２２】
また、誘導部１４３の左側には、遊技球、１個分より少し大きい間隔だけ離れて、７本の誘導釘Ｊが斜め左下方向に架空の線に沿って並べられた誘導部１４６が設けられ、誘導部１４３の左側に、遊技球が下方に通過可能な通過口１４７が形成されている。また、誘導部１４６の斜め左下側には、遊技球、１個分より少し大きい間隔だけ離れて、３本の誘導釘Ｊが誘導部１４６の配置された架空の線に沿って並べられた誘導部１４８が設けられ、誘導部１４６の左側に、遊技球が下方に通過可能な通過口１４９が形成されている。
【０１２３】
また、誘導部１４８の斜め左下側には、遊技球、１個分より少し大きい間隔だけ離れて、４本の誘導釘Ｊが誘導部１４８の配置された架空の線に沿って開閉扉１２８の仕切り部材８５の直上まで並べられた誘導部１５１が設けられている。これにより、誘導部１４８と誘導部１５１との間には、遊技球が通過可能な通過口１５２が、誘導口１３１の左右方向の略中央部の上方に形成される。
【０１２４】
また、上記誘導部１４１の斜め左下側には、遊技球、１個分より少し大きい間隔だけ離れて、６本の誘導釘Ｊが誘導部１４１の配置された架空の線に沿って並べられた誘導部１５３が設けられ、誘導部１４１の左側に、遊技球が下方に通過可能な通過口１５５が形成されている。また、誘導部１５３の斜め左下側には、遊技球、１個分より少し大きい間隔だけ離れて、１本の誘導釘１５６が誘導部１５３の配置された同じ架空の線に沿って配置され、誘導部１４８の上方に、遊技球が下方に通過可能な通過口１５７が形成されている。
【０１２５】
また、誘導釘１５６の斜め左上側、及び、左側には、遊技球、１個分より少し大きい間隔だけ離れて、それぞれ１本の各誘導釘１５８、１５９が配置され、誘導部１５３上を誘導された遊技球が斜め左下方向へ通過可能な通過口１６１が形成されている。また、誘導釘１５９の斜め左下側には、遊技球、約５個分の間隔だけ離れて、５本の誘導釘Ｊが左下がりに傾斜した架空の線に沿って隣接して並べられた誘導部１６２が設けられ、遊技球が下方に通過可能な通過口１６３が、大入賞口４７Ａの直上に形成される。
【０１２６】
また、誘導部１１６２の下端部と、誘導部１５１の左端部との間に、遊技球が下方に通過可能な通過口１６５が、大入賞口４７Ａの直上に形成される。また、誘導部１６２の下端の誘導釘Ｊは、開閉扉１２８の左端部の斜め左上側に配置されているため、通過口１６３を通過して誘導部１６２に衝突する遊技球は、斜め右下側へ跳ね返り、通過口１１６５を通過して開閉扉１２８に設けられた仕切り部材８５と開閉扉１２８左端部との間の部分に流下するように構成されている。
【０１２７】
従って、図１２に示すように、遊技領域６の略右半分の部分を流下した遊技球は、誘導部１４１に衝突して左右どちらかに跳ね返る。そして、誘導部１４１の右端に形成された通過口１４２を通過した遊技球は、下方に配置された誘導部１４３に衝突して左右どちらかに跳ね返り、誘導部１４３の左右に形成された各通過口１４５、１４７を通過した場合には、通過したほとんどの遊技球が、開閉扉４６の左右方向中央部よりも右側に流下して排出口４７Ｂに入球する。また、各通過口１４５、１４７を通過した一部の遊技球が、開閉扉１２８の右外側に流下して可変入賞装置１２２の入球口１２７に入球することなく遊技領域６を流下するように誘導される。
【０１２８】
また、誘導部１４３に衝突して左側に跳ね返って斜め左下方向へ流下し、誘導部１４８の左右に形成された各通過口１４９、１５２を通過した場合には、通過したほとんどの遊技球が、開閉扉１２８の左右方向中央部付近に流下して誘導口１３１に入球する。また、開閉扉１２８の左右方向中部よりも左側に流下した遊技球は、仕切り部材８５に衝突して誘導口１３１へ入球するように誘導される。また、開閉扉１２８の左右方向中部よりも右側に流下した遊技球は、排出口４７Ｂに入球するように誘導される。
【０１２９】
つまり、誘導部１４１に衝突した後、誘導部１４１の右側に設けられた通過口１４２に入った遊技球は、各通過口１４５、１４７、１４９、１５２を通過する排出側分岐通路１６６を流下して、通過口１４２に入った遊技球のうちのほとんどの遊技球が、排出口４７Ｂ若しくは誘導口１３１に入球する。また、通過口１４２に入った遊技球のうちの一部の遊技球が、入球口１２７に入球しないように誘導される。
【０１３０】
そして、上記図９に示すように、排出口４７Ｂに入球した遊技球は、排出口４７Ｂの底面部に形成された排出孔８７を通過して、カウントされることなく、背面側に配置された不図示の遊技球回収装置に案内される。また、図１１に示すように、誘導口１３１に入球した遊技球は、誘導口１３１の底面部に形成された排出孔１３３に入球して、球通路１３６を通過し、延出部１２５Ａに形成された前面側排出孔１２５Ｂから、カウントされることなく、遊技盤２の前面側へ排出されて、遊技領域６を再度、流下する。
【０１３１】
一方、遊技領域６の右半分を流下して誘導部１４１に衝突した後、誘導部１４１の左側に跳ね返った遊技球は、誘導部１４１の斜め左下側に配置された誘導部１５３に誘導される。この誘導部１５３に誘導された遊技球は、誘導部１５３の左側に設けられた各通過口１５７、１６１へ誘導される。そして、誘導部１５３の左端に連続して形成された通過口１５７を通過した遊技球は、通過口１５７の斜め左下側へ誘導されて誘導部１５１に衝突する。誘導部１５１に衝突した遊技球は、斜め左下側へ誘導されて、誘導部１５１の左側に設けられた通過口１６５へ誘導される。
【０１３２】
そして、通過口１６５を通過した遊技球のうちのほとんどの遊技球が、開閉扉１２８に設けられた仕切り部材８５と開閉扉１２８左端部との間に流下して大入賞口４７Ａに入球する。また、通過口１６５を通過した遊技球のうちの一部の遊技球が、開閉扉１２８の左外側に流下して可変入賞装置１２２の入球口１２７に入球することなく遊技領域６を流下するように誘導される。
【０１３３】
また、誘導部１４１に衝突した後、誘導部１５３に誘導されて、誘導部１５３の左端の斜め左上側に形成された通過口１６１を通過した遊技球は、各通過口１６３、１６５を下方に流下するか、若しくは、通過口１６３を通過した後、誘導部１６２に衝突して跳ね返り、斜め右下側へ誘導されて通過口１６５を通過するように誘導される。そして、通過口１６５を通過したほぼ全部の遊技球は、開閉扉１２８に設けられた仕切り部材８５と開閉扉１２８の左端部との間に流下して大入賞口４７Ａに入球するように誘導される。
【０１３４】
つまり、誘導部１４１に衝突した後、誘導部１４１の斜め左下側に設けられた誘導部１５３に誘導された遊技球は、誘導部１５３の左端に連続して形成された通過口１５７、若しくは、誘導部１５３の左端の斜め左上側に形成された通過口１６１に入った遊技球は、各通過口１５７、１６１、１６３、１６５を通過する大入賞口側分岐通路１６７を流下する。そして、大入賞口側分岐通路１６７を流下した遊技球のうちのほとんどの遊技球が、大入賞口４７Ａに入球する。また、大入賞口側分岐通路１６７を流下した遊技球のうちの一部の遊技球が、入球口１２７に入球しないように誘導される。
【０１３５】
尚、上記上側始動入賞口４１及び下側始動入賞口４２の斜め左上方に、遊技領域６の略左半分に渡って可変入賞装置１２２が配置され、上記左袖入賞口５１、左落とし入賞口５２を上記上側始動入賞口４１及び下側始動入賞口４２の右側の遊技領域６に配置するように構成してもよい。
【０１３６】
以上詳細に説明した通り、他の第１実施形態に係る遊技機１２１では、上側始動入賞口４１及び下側始動入賞口４２の斜め右上方には、遊技領域６の略右半分に渡って可変入賞装置１２２が配置されている。この可変入賞装置１２２は、通常は開閉扉１２８が閉じた状態とされ、左右方向のほぼ全幅に渡って前面部が開閉扉１２８によって覆われる。そして、可変入賞装置１２２は、大当たり遊技（特典付与）時に、開閉扉１２８が１５ラウンド（１５回）開放されて前方傾斜状態となり、左右方向のほぼ全幅に渡って設けられた入球口１２７に遊技球が入球可能となる。
【０１３７】
これにより、大当たり遊技時において、遊技領域６の右側領域を流下する遊技球のほぼ全部が開閉扉１２８上に流下して、入球口１２７に入球するため、遊技者は従来以上の爽快感を得ることができ、大当たり遊技状態における可変入賞装置１２２の入球口１２７に入球する遊技球の動きに対する趣向性を確実に高めることが可能となる。
【０１３８】
また、入球口１２７内は一対の仕切り壁部８３と仕切り壁部１３２によって左右方向に３つに仕切られて、左側の分割領域に大入賞口４７Ａが設けられ、中央の分割領域に入球した遊技球に対する賞球を付与することなく遊技盤２の前面側に排出する誘導口１３１が設けられ、右側の分割領域に、入球した遊技球に対する賞球を付与することなく遊技盤２の裏面側に排出する排出口４７Ｂが設けられている。つまり、大入賞口４７Ａ、誘導口１３１、及び、排出口４７Ｂは、左右方向に隣接して配置される。
【０１３９】
これにより、可変入賞装置１２２の横幅、つまり、開閉扉１２８の横幅を容易に大きくして、大当たり遊技状態における可変入賞装置１２２の入球口１２７に入球する遊技球の動きに対する趣向性を高めることが可能となる。また、可変入賞装置１２２の構造の簡素化を図ることが可能となる。また、誘導口１３１と排出口４７Ｂに入球した遊技球に対して賞球が付与されないため、開閉扉１２８の横幅を大きくしても大当たり遊技の遊技時間を従来の大当たり遊技の遊技時間とほぼ同じにすることが可能となる。また、誘導口１３１と排出口４７Ｂに入球した遊技球に対して賞球が付与されないため、遊技機１２１の制御プロガラムは従来と同様にすることができる。
【０１４０】
また、大当たり遊技状態において、開閉扉１２８上に落下して大入賞口４７Ａと排出口４７Ｂに入球した遊技球は遊技領域６に排出されないため、遊技者に対して多くの遊技球が大入賞口４７Ａに入球したかのように見せることが可能となり、特別遊技状態における可変入賞装置１２２に入球する遊技球の動きに対する趣向性を高めることが可能となる。
【０１４１】
また、開閉扉１２８の一対の仕切り壁部８３に対向する位置には、一対の仕切り壁部８３の間に挿入される薄板状の仕切り部材８５が設けられているため、前方傾斜状態の開閉扉１２８の上側面を転動する遊技球の落下位置から大入賞口４７Ａに入球するまでの転動距離を短くすることが可能となる。従って、大入賞口４７Ａ内への余分な遊技球の入球を抑止することが可能となる。
【０１４２】
また、上側始動入賞口４１及び下側始動入賞口４２の斜め右上方の遊技領域６を流下する遊技球は、先ず、誘導部１４１に衝突する。そして、誘導部１４１に衝突した後、誘導部１４１の右側に設けられた通過口１４２に入った遊技球は、各通過口１４５、１４７、１４９、１５２を通過する排出側分岐通路１６６を流下して、通過口１４２に入った遊技球のうちのほとんどの遊技球が、排出口４７Ｂ若しくは誘導口１３１に入球する。
【０１４３】
また、誘導部１４１に衝突した後、誘導部１４１の斜め左下側に設けられた誘導部１５３に誘導された遊技球は、誘導部１５３の左端に連続して形成された通過口１５７、若しくは、誘導部１５３の左端の斜め左上側に形成された通過口１６１に入った遊技球は、各通過口１５７、１６１、１６３、１６５を通過する大入賞口側分岐通路１６７を流下する。そして、大入賞口側分岐通路１６７を流下した遊技球のうちのほとんどの遊技球が、大入賞口４７Ａに入球する。これにより、簡易な構成で遊技球を大入賞口４７Ａと、排出口４７Ｂ若しくは誘導口１３１に誘導することが可能となる。
【０１４４】
［他の第２実施形態］
（Ｂ）また、例えば、他の第２実施形態に係る遊技機１７１について図１３及び図１４に基づいて説明する。尚、前記実施形態に係る遊技機１及び前記他の第１実施形態に係る遊技機１２１と同一符号は、前記実施形態に係る遊技機１及び前記他の第１実施形態に係る遊技機１２１と同一あるいは相当する部分を示すものである。
【０１４５】
この他の第２実施形態に係る遊技機１７１の全体構成は、前記他の第１実施形態に係る遊技機１２１とほぼ同じ構成である。また、他の第２実施形態に係る遊技機１７１の制御構成及び制御処理は、前記実施形態に係る遊技機１の制御構成及び制御処理とほぼ同じである。
【０１４６】
但し、図１３及び図１４に示すように、他の第２実施形態に係る遊技機１７１では、可変入賞装置１２２に替えて、可変入賞装置１２２の左右方向の横幅とほぼ同じ左右方向の横幅を有する可変入賞装置１７２が配設されている点で異なっている。
【０１４７】
可変入賞装置１７２の概略構成について図１３及び図１４に基づいて説明する。図１３及び図１４に示すように、可変入賞装置１７２は、前記他の第１実施形態に係る可変入賞装置１２２（図１０参照）とほぼ同じ構成である。但し、上記装置筐体１２３と上記取付板１２５に替えて、略箱体状の装置筐体１７３と正面視略横長四角枠状の取付板１７７とを備えている。この装置筐体１７３と取付板１７７は、上側始動入賞口４１及び下側始動入賞口４２の斜め右上方における遊技領域６の略右半分に渡って配置可能な横幅を有している。
【０１４８】
略箱体状の装置筐体１７３は、上記装置筐体１２３とほぼ同じ構成であるが、前記誘導口１３１に替えて、正面視右側の仕切り壁部８３の前側の側縁部と、排出口４７Ｂの左側の側壁部を構成する仕切り壁部１３２の前側の側縁部とが全高さに渡って薄板状で正面視横長四角形の前面壁部１７５によって連結され、前面壁部１７５に対向する背面側が開放された左右方向に長い横長箱体状部１７６が設けられている。つまり、大入賞口４７Ａと排出口４７Ｂは、横長箱体状部１７６を介して左右方向に離間して配置される。従って、可変入賞装置１７２の左右方向の幅は、上記可変入賞装置４５の左右方向の幅よりも横長箱体状部１７６の左右方向の幅分だけ広くなるように構成されている。
【０１４９】
横長箱体状部１７６は、底面部が略水平に形成され、上記排出孔１３３及び突出部１３５を備えていない。また、前面壁部１７５の前面部には、周縁部から所定距離（例えば、約２ｍｍの距離である。）だけ内側の部分から、取付板１７７の厚さにほぼ等しい突出高さで前側へ突出する正面視横長四角形の突出部１７５Ａが設けられている。この突出部１７５Ａの正面視上下方向の高さは、左右方向全幅に渡って遊技球の直径よりも大きくなるように形成されている。
【０１５０】
また、取付板１７７は、上記取付板１２５とほぼ同じ構成であるが、上記延出部１２５Ａを備えておらず、正面視略横長四角枠状に形成され、内側には、前後方向に装置筐体１７３側へ貫通する正面視横長四角形の入球口１２７が開口されている。
【０１５１】
また、可変入賞装置１７２の開閉扉１２８は、薄板状で入球口１２７とほぼ同じ形状の横長四角形に形成され、左右側縁部の下端から外側に突出する一対の回転軸７７（図５参照）が、入球口１２７の周縁に軸支されている。また、開閉扉１２８の左右方向中央部には、開閉扉１２８が閉じられた際に、前面壁部１７５の前面部から突出する突出部１７５Ａが嵌入される正面視横長四角形の開口部１７８が形成されている。そして、図１３（Ａ）に示すように、開閉扉１２８が閉じられた際には、開閉扉１２８の前面部と取付板１２５及び突出部１７５Ａの各前面部とが略面一になるように構成されている。従って、開口部１７８の正面視上下方向の高さは、左右方向全幅に渡って遊技球の直径よりも大きくなるように形成され、遊技球が通過可能に構成されている。
【０１５２】
また、図１３（Ｂ）、及び上記図５、図６に示すように、開閉扉１２８の右側縁部には、薄板状で側面視略直角三角形状の側壁部７８が設けられている。また、側壁部７８の回転軸７７よりも後側部分には、小径のボス部７９が左右方向外側へ突出するように設けられている。また、装置筐体１７３の右端側背面には、上記可変入賞ソレノイド７１が取り付けられている。そして、開閉扉１２８の側壁部７８に設けられたボス部７９は、上記屈曲アーム８１によって可変入賞ソレノイド７１に連結されている。
【０１５３】
従って、上記他の第１実施形態に係る可変入賞装置１２２と同様に、可変入賞ソレノイド７１が消磁され、プランジャ７１Ａが圧縮コイルバネ７１Ｂの付勢力によって上方に直動すると、屈曲アーム８１を介して、開閉扉１２８が回転軸７７を中心に時計回り方向に回動され、前面壁部１７５に上端部が当接されて、開閉扉１２８の前面部が取付板１２５及び突出部１７５Ａの前面部と略面一になるように起立し、入球口１２７が開閉扉１２８によって閉塞された閉塞状態となる（図１３（Ａ）の状態である）。
【０１５４】
また、可変入賞ソレノイド７１が励磁され、プランジャ７１Ａが圧縮コイルバネ７１Ｂの付勢力に抗して下方に直動すると、屈曲アーム８１を介して、開閉扉１２８が回転軸７７を中心に反時計回り方向に回動され、取付板１２５に対して所定角度（例えば、約７５度である。）前側に倒された前方傾斜状態となり、入球口１２７が開放状態となる（図１３（Ｂ）の状態である）。
【０１５５】
また、図１３（Ｂ）に示すように、大入賞口４７Ａの右側の側壁部を構成する仕切り壁部８３と、横長箱体状部１７６の左側の側壁部を構成する仕切り壁部８３と間には、所定隙間（例えば、約３ｍｍの隙間である。）が形成されている。また、開閉扉１２８の内側面（図１０（Ｂ）中、上側面）の一対の仕切り壁部８３の左右方向中央部に対向する位置には、一対の仕切り壁部８３の間に挿入される、薄板状で側面視略１／４円形状に形成された仕切り部材８５が設けられている。これにより、開閉扉１２８が開放されて前方傾斜状態になった際に、開閉扉１２８上に落下した遊技球は、仕切り部材８５によって大入賞口４７Ａ又は開口部１７８のどちらかに振り分けられて入球する。
【０１５６】
また、略箱体状の大入賞口４７Ａの底面部は、右側斜め下方向に傾斜して、右端部に遊技球が入球（入賞）可能な入賞孔８６が形成されている。また、上記図８に示すように、入賞孔８６の流出側端面部（下端面部）には、この入賞孔８６へ入球（入賞）した遊技球をカウントする入賞球数カウントスイッチ（入賞球数カウントセンサ）７２が設けられている。そして、入賞球数カウントスイッチ７２を通過した遊技球は、背面側に配置された不図示の遊技球回収装置に案内されるように構成されている。従って、大入賞口４７Ａに入球（入賞）した遊技球に対して賞球が払い出される、つまり、特典が付与される。
【０１５７】
また、略箱体状の排出口４７Ｂの底面部は、右側斜め下方向に傾斜して、右端部に遊技球が入球可能な排出孔８７が形成されている。そして、上記図９に示すように、排出孔８７を通過した遊技球は、カウントされることなく、背面側に配置された不図示の遊技球回収装置に案内されるように構成されている。従って、排出口４７Ｂに入球した遊技球に対して賞球は払い出されない、つまり、特典は付与されない。
【０１５８】
ここで、上記図１２に示される可変入賞装置１２２に替えて、上記のように構成された可変入賞装置１７２を遊技領域６に配置した場合に、開閉扉１２８が開放されて前方傾斜状態になった際に、遊技領域６の略右半分の部分を流下してくる遊技球が複数の誘導釘Ｊによって誘導される一例について図１３（Ｂ）、図１４及び図１２に基づいて説明する。
【０１５９】
図１３（Ｂ）、図１４及び図１２に示すように、遊技領域６の略右半分の部分を流下した遊技球は、誘導部１４１に衝突して左右どちらかに跳ね返る。そして、誘導部１４１に衝突した後、誘導部１４１の右側に設けられた通過口１４２に入った遊技球は、各通過口１４５、１４７、１４９、１５２を通過する排出側分岐通路１６６を流下して、通過口１４２に入った遊技球のうちのほとんどの遊技球が、排出口４７Ｂ若しくは開閉扉１２８に形成された開口部１７８に入球する。また、通過口１４２に入った遊技球のうちの一部の遊技球が、入球口１２７に入球しないように誘導される。
【０１６０】
また、誘導部１４１に衝突した後、誘導部１４１の斜め左下側に設けられた誘導部１５３に誘導された遊技球は、誘導部１５３の左端に連続して形成された通過口１５７、若しくは、誘導部１５３の左端の斜め左上側に形成された通過口１６１に入った遊技球は、各通過口１５７、１６１、１６３、１６５を通過する大入賞口側分岐通路１６７を流下する。そして、大入賞口側分岐通路１６７を流下した遊技球のうちのほとんどの遊技球が、大入賞口４７Ａに入球する。また、大入賞口側分岐通路１６７を流下した遊技球のうちの一部の遊技球が、入球口１２７に入球しないように誘導される。
【０１６１】
尚、上記上側始動入賞口４１及び下側始動入賞口４２の斜め左上方に、遊技領域６の略左半分に渡って可変入賞装置１７２が配置され、上記左袖入賞口５１、左落とし入賞口５２を上記上側始動入賞口４１及び下側始動入賞口４２の右側の遊技領域６に配置するように構成してもよい。
【０１６２】
以上詳細に説明した通り、他の第２実施形態に係る遊技機１７１では、上側始動入賞口４１及び下側始動入賞口４２の斜め右上方には、遊技領域６の略右半分に渡って可変入賞装置１７２が配置されている。この可変入賞装置１７２は、通常は開閉扉１２８が閉じた状態とされ、左右方向のほぼ全幅に渡って前面部が開閉扉１２８によって覆われる。そして、可変入賞装置１７２は、大当たり遊技（特典付与）時に、開閉扉１２８が１５ラウンド（１５回）開放されて前方傾斜状態となり、横長箱体状部１７６を介して、左右方向に離間して配置された大入賞口４７Ａと排出口４７Ｂに遊技球が入球可能となる。
【０１６３】
これにより、装置筐体１７３の大入賞口４７Ａと排出口４７Ｂは、横長箱体状部１７６を介して、左右方向に離間して配置されるため、左右方向に離間して配置された大入賞口４７Ａと排出口４７Ｂとを開閉する開閉扉１２８の横幅を大きくして、大当たり遊技状態（特別遊技状態）における可変入賞装置１７２に入球する遊技球を容易に多くすることができる。また、排出口４７Ｂに入球しても遊技者に賞球（特典）が付与されないため、遊技機１７１の制御プログラムは従来と同様に構成することができる。
【０１６４】
また、大当たり遊技状態において、開閉扉１２８上に多くの遊技球が落下して大入賞口４７Ａ又は排出口４７Ｂに入球するため、遊技者は従来以上の爽快感を得ることができ、大当たり遊技状態における可変入賞装置１７２に入球する遊技球の動きに対する趣向性を高めることが可能となる。また、大当たり遊技状態において、大入賞口４７Ａと排出口４７Ｂとの間に遊技球が落下しても、開閉扉１２８に設けられた開口部１７８を通過するため、開閉扉１２８と前面壁部１７５との間に遊技球が挟まれるのを防止することができる。
【０１６５】
また、開閉扉１２８の前方傾斜状態における上側面には、遊技球を大入賞口４７Ａと開閉扉１２８の開口部１７８とに振り分ける仕切り部材８５が設けられているため、開閉扉１２８の上側面を転動する遊技球の落下位置から大入賞口４７Ａに入球するまでの転動距離を短くすることが可能となる。従って大入賞口４７Ａ内への余分な遊技球の入球を抑止することが可能となる。
【０１６６】
また、遊技領域６の略右半分の部分を流下した遊技球は、誘導部１４１に衝突して左右どちらかに跳ね返る。そして、誘導部１４１に衝突した後、誘導部１４１の右側に設けられた通過口１４２に入った遊技球は、各通過口１４５、１４７、１４９、１５２を通過する排出側分岐通路１６６を流下して、通過口１４２に入った遊技球のうちのほとんどの遊技球が、排出口４７Ｂ若しくは開閉扉１２８に形成された開口部１７８に入球する。
【０１６７】
また、誘導部１４１に衝突した後、誘導部１４１の斜め左下側に設けられた誘導部１５３に誘導された遊技球は、誘導部１５３の左端に連続して形成された通過口１５７、若しくは、誘導部１５３の左端の斜め左上側に形成された通過口１６１に入った遊技球は、各通過口１５７、１６１、１６３、１６５を通過する大入賞口側分岐通路１６７を流下する。そして、大入賞口側分岐通路１６７を流下した遊技球のうちのほとんどの遊技球が、大入賞口４７Ａに入球する。これにより、簡易な構成で遊技球を大入賞口４７Ａと排出口４７Ｂに誘導することが可能となる。
【０１６８】
［他の第３実施形態］
（Ｃ）また、例えば、上記他の第２実施形態に係る可変入賞装置１７２の装置筐体１７３に替えて、大入賞口４７Ａと排出口４７Ｂのそれぞれを、前面側に開口された装置筐体１７３の左右方向の全幅の約１／３の左右方向の幅を有する略横長箱体状に形成してもよい。また、遊技盤２には、上記上側始動入賞口４１及び下側始動入賞口４２の斜め右上方に、前後方向に貫通する略横長四角形の一対の開口部が、上記前面壁部１７５の左右方向の幅分だけ離間して左右方向一直線上に配置されるようにしてもよい。
【０１６９】
そして、この一対の開口部には、略横長箱体状の大入賞口４７Ａと排出口４７Ｂの前面側の開口が、それぞれ遊技盤２の前面部と面一になるように配置されるようにしてもよい。また、この一対の開口部の間には、左右方向中央部に、遊技盤２の前面部から取付板１７７の厚さにほぼ等しい突出高さで前側へ突出する正面視横長四角形の上記突出部１７５Ａが設けられるようにしてもよい。
【０１７０】
また、正面視略横長四角枠状に形成された上記取付板１７７を遊技盤２の一対の開口部を覆うように、遊技盤２の前面部に取り付けるようにしてもよい。また、取付板１７７に形成された正面視横長四角形の入球口１２７には、正面視横長四角形の上記開口部１７８が形成された薄板状で横長四角形に形成された上記開閉扉１２８が、前後方向に回動可能に軸支されるようにしてもよい。従って、大入賞口４７と排出口４７Ｂの前面側の開口が、上記突出部１７５Ａを挟んだ状態で、正面視横長四角形の入球口１２７内に配置される。
【０１７１】
この開閉扉１２８は、上記可変ソレノイド７１を取付板１７７の背面部に取り付けて、プランジャ７１Ａや圧縮コイルバネ７１Ｂ、屈曲アーム８１等を介して、開閉可能に構成されるようにしてもよい。また、開閉扉１２８が閉じられた際には、開閉扉１２８の背面部が遊技盤２の前面部に当接して、開閉扉１２８の前面部と取付板１７７及び突出部１７５Ａの各前面部とが略面一になるように構成してもよい。
【０１７２】
そして、可変入賞ソレノイド７１が消磁された場合には、圧縮コイルバネ７１Ｂの付勢力によって、開閉扉１２８が遊技盤２側に回動されて、開閉扉１２８の前面部が取付板１７７及び突出部１７５Ａの前面部と略面一になるように起立し、取付板１７７の入球口１２７が開閉扉１２８によって閉塞された閉塞状態となる。また、可変入賞ソレノイド７１が励磁された場合には、開閉扉１２８が前側方向に回動され、取付板１７７に対して所定角度（例えば、約７５度である。）前側に倒された前方傾斜状態となり、入球口１２７が開放状態となる。
【０１７３】
また、開閉扉１２８の内側面の大入賞口４７Ａの右側の側壁部に対向する位置よりも少し左側の位置には、大入賞口４７Ａ内に挿入される、薄板状で側面視略１／４円形状に形成された上記仕切り部材８５が設けられるようにしてもよい。これにより、開閉扉１２８が開放されて前方傾斜状態になった際に、開閉扉１２８上に落下した遊技球は、仕切り部材８５によって大入賞口４７Ａ又は開口部１７８のどちらかに振り分けられて入球する。
【０１７４】
従って、上側始動入賞口４１及び下側始動入賞口４２の斜め右上方に、略横長箱体状の大入賞口４７Ａと、略横長箱体状の排出口４７Ｂとが、左右方向に離間して配置される。これにより、左右方向に離間して配置された大入賞口４７Ａと排出口４７Ｂとを開閉する開閉扉１２８の横幅を大きくして、大当たり遊技状態（特別遊技状態）において、開閉扉１２８上に落下する遊技球を容易に多くすることができる。また、排出口４７Ｂに入球しても遊技者に賞球（特典）が付与されないため、遊技機の制御プログラムは従来と同様に構成することができる。
【０１７５】
また、大当たり遊技状態において、開閉扉１２８上に多くの遊技球が落下して大入賞口４７Ａ又は排出口４７Ｂに入球するため、遊技者は従来以上の爽快感を得ることができ、大当たり遊技状態における可変入賞装置に入球する遊技球の動きに対する趣向性を高めることが可能となる。また、大当たり遊技状態において、大入賞口４７Ａと排出口４７Ｂとの間に遊技球が落下しても、開閉扉１２８に設けられた開口部１７８を通過するため、開閉扉１２８と遊技盤２の前面部との間に遊技球が挟まれるのを防止することができる。
【０１７６】
［他の第４実施形態］
（Ｄ）また、例えば、上記遊技機１において、可変入賞装置４５の排出口４７Ｂの底面部に設けられた排出孔８７の下端部から遊技盤２の前面に形成された開口部に連通する、遊技球が通過可能な球通路を設けるようにしてもよい。これにより、排出口４７Ｂの排出孔８７に入球した遊技球は、この球通路を通過した後、カウントされることなく、遊技盤２の前面に形成された開口部から再度、遊技領域６へ流下可能にとなる。従って、排出孔８７に入球した遊技球に対して賞球は払い出されない、つまり、特典は付与されないため、遊技機１の制御プロガラムは従来と同様にすることができる。
【０１７７】
これにより、大当たり遊技時において、遊技領域６の右側領域を流下する遊技球のほぼ全部が開閉扉４６上に流下して、入球口４７に入球するため、遊技者は従来以上の爽快感を得ることができ、大当たり遊技状態（特別遊技状態）における可変入賞装置４５の入球口４７に入球する遊技球の動きに対する趣向性を確実に高めることが可能となる。
【０１７８】
［他の第５実施形態］
（Ｅ）また、例えば、各可変入賞装置４５、１２２、１７２は、各開閉扉４６、１２８が前後方向に開閉されるように構成されたが、大入賞口４７Ａと排出口４７Ｂが内部に設けられた電動チューリップ等の左右一対の開閉部材が左右方向に開閉する電動役物で構成されるようにしてもよい。例えば、大入賞口４７Ａと排出口４７Ｂのそれぞれの開口部が上側を向いた状態で、電動役物内の左右に配置されるようにしてもよい。
【０１７９】
そして、左右一対の開閉部材が閉じられた場合には、大入賞口４７Ａと排出口４７Ｂが一対の開閉部材で覆われて閉塞された閉塞状態となる。一方、左右一対の開閉部材が正面視略Ｖ字状に左右方向に開放された場合には、左側の開閉部材上に落下した遊技球は、ほとんどが大入賞口４７Ａに入球し、右側の開閉部材上に落下した遊技球は、ほとんどが排出口４７Ｂに入球するように構成してもよい。
【０１８０】
これにより、左右一対の開閉部材を容易に大きくして、大当たり遊技時において、遊技領域６の略右半分又は略左半分の遊技領域を流下する遊技球のほぼ全部が入球するように構成することが可能となる。従って、遊技者は従来以上の爽快感を得ることができ、大当たり遊技状態（特別遊技状態）における一対の開閉部材が左右方向に開放された電動役物に入球する遊技球の動きに対する趣向性を確実に高めることが可能となる。
【０１８１】
［他の第６実施形態］
（Ｆ）また、例えば、各大入賞口側分岐通路１１１、１６７と、各排出側分岐通路１０９、１６６は、複数の誘導釘Ｊだけで構成したが、誘導釘Ｊだけに限らず、遊技盤２上にブロック状やリブ状の樹脂成形品を配置して、各大入賞口側分岐通路１１１、１６７と、各排出側分岐通路１０９、１６６を構成するようにしてもよい。これにより、各大入賞口側分岐通路１１１、１６７と、各排出側分岐通路１０９、１６６を流下する遊技球の動きの多様化を図ることが可能となる。
（Ｇ）また、本発明に係わる遊技機を具体化した実施形態について上記に説明したが、遊技機は以下の構成を有することも可能であり、その場合には、以下の効果を奏する。
（付記１）例えば、第１の構成に係る遊技機は、遊技球が流下可能な遊技領域を有する遊技盤と、前記遊技領域を流下する遊技球が入球し易い第１状態と前記第１状態よりも入球し難い又は入球不能な第２状態との間を変位する可変入賞装置と、を備え、前記可変入賞装置は、入賞口と、入球した遊技球が遊技者に特典を付与することなく排出される排出口と、前記遊技盤に取り付けられる取付板と、前記取付板に軸支され、後方へ回動して起立状態となると前記入賞口と前記排出口を閉塞し、前方へ回動して前方傾斜状態となると前記入賞口と前記排出口を開放し、且つ、前記前方傾斜状態における上側面で前記遊技領域を流下する遊技球を受け止めて、前記入賞口又は前記排出口に誘導する開閉扉と、を有することを特徴とする。
このような第１の構成を有する遊技機では、遊技球が流下可能な遊技領域を有する遊技盤と、前記遊技領域を流下する遊技球が入球し易い第１状態と前記第１状態よりも入球し難い又は入球不能な第２状態との間を変位する可変入賞装置と、を備え、前記可変入賞装置は、入賞口と、入球した遊技球が遊技者に特典を付与することなく排出される排出口と、前記遊技盤に取り付けられる取付板と、前記取付板に軸支され、後方へ回動して起立状態となると前記入賞口と前記排出口を閉塞し、前方へ回動して前方傾斜状態となると前記入賞口と前記排出口を開放し、且つ、前記前方傾斜状態における上側面で前記遊技領域を流下する遊技球を受け止めて、前記入賞口又は前記排出口に誘導する開閉扉と、を有する構成のため、開閉扉の横幅を容易に大きくして、特別遊技状態における可変入賞装置に入球する遊技球の動きに対する趣向性を高めることが可能となる。
（付記２）また、例えば、第２の構成に係る遊技機は、上記第１の構成に係る遊技機において、前記入賞口と前記排出口は、第１仕切り部材によって仕切られて左右方向に配置されることを特徴とする。
上記第２の構成を有する遊技機では、入賞口と排出口は、第１仕切り部材によって仕切られて左右方向に配置されるため、可変入賞装置の構造の簡素化を図ることが可能となる。
（付記３）また、例えば、第３の構成に係る遊技機は、上記第１の構成又は上記第２の構成に係る遊技機において、前記開閉扉は、前記前方傾斜状態で、遊技球を前記入賞口と前記排出口とに振り分ける第２仕切り部材を前記上側面に有することを特徴とする。
上記第３の構成を有する遊技機では、開閉扉は、開いた前方傾斜状態における上側面に、遊技球を入賞口と排出口とに振り分ける第２仕切り部材が設けられている。これにより、前方傾斜状態の開閉扉の上側面を転動する遊技球の落下位置から入賞口に入球するまでの転動距離を短くすることが可能となる。従って、入賞口内への余分な遊技球の入球を抑止することが可能となる。
（付記４）また、例えば、第４の構成に係る遊技機は、上記第１の構成乃至上記第３の構成のいずれかに係る遊技機において、前記遊技領域に設けられて、遊技球の流下方向を変更又は誘導する球案内部材と、前記可変入賞装置の直上に設けられた前記球案内部材によって構成される遊技球が通過可能な第１分岐通路と第２分岐通路と、を備え、前記第１分岐通路を通過した遊技球は、前記入賞口に入球するか前記可変入賞装置に入球しないように誘導され、前記第２分岐通路を通過した遊技球は、前記排出口に入球するか前記可変入賞装置に入球しないように誘導されることを特徴とする。
上記第４の構成を有する遊技機では、第１分岐通路を通過した遊技球は、入賞口に入球するか可変入賞装置に入球しないように誘導され、第２分岐通路を通過した遊技球は、排出口に入球するか可変入賞装置に入球しないように誘導される。これにより、簡易な構成で遊技球を入賞口と排出口に誘導することが可能となる。
（付記５）また、例えば、第５の構成に係る遊技機は、上記第１の構成乃至上記第４の構成のいずれかに係る遊技機において、前記排出口は、入球した遊技球を前記遊技盤の裏側に排出するように構成され、前記可変入賞装置は、前記入賞口と前記排出口との間に配置されて、入球した遊技球が遊技者に特典を付与することなく再度遊技領域に排出される誘導口を有し、前記開閉扉は、前記起立状態となると前記入賞口と前記排出口と前記誘導口を閉塞し、前記前方傾斜状態となると前記入賞口と前記排出口と前記誘導口を開放し、且つ、前記前方傾斜状態における上側面で前記遊技領域を流下する遊技球を受け止めて、前記入賞口又は前記排出口若しくは前記誘導口に誘導することを特徴とする。
上記第５の構成を有する遊技機では、可変入賞装置には、入賞口と誘導口と排出口とを開閉する開閉扉が設けられるため、当該開閉扉の横幅を更に大きくして、特別遊技状態における可変入賞装置に入球する遊技球を容易に多くすることができる。また、誘導口と排出口に入球しても遊技者に特典（賞球）が付与されないため、遊技機の制御プログラムは従来と同様に構成することができる。
また、特別遊技状態において、開閉扉上に多くの遊技球が落下して入賞口又は排出口若しくは誘導口に入球するため、遊技者は従来以上の爽快感を得ることができ、特別遊技状態における可変入賞装置に入球する遊技球の動きに対する趣向性を高めることが可能となる。また、特別遊技状態において、開閉扉上に落下して入賞口と排出口に入球した遊技球は遊技領域に排出されないため、遊技者に対して多くの遊技球が入賞口に入球したかのように見せることが可能となり、特別遊技状態における可変入賞装置に入球する遊技球の動きに対する趣向性を高めることが可能となる。
（付記６）また、例えば、第６の構成に係る遊技機は、上記第５の構成に係る遊技機において、前記第１仕切り部材は、前記入賞口と前記排出口と前記誘導口を仕切る仕切り壁を有し、前記入賞口と前記排出口と前記誘導口は、前記仕切り壁によって仕切られて左右方向に隣接して配置されることを特徴とする。
上記第６の構成を有する遊技機では、入賞口と排出口と誘導口は、仕切り壁によって仕切られて左右方向に隣接して配置されるため、可変入賞装置の構造の簡素化を図ることが可能となる。
（付記７）また、例えば、第７の構成に係る遊技機は、上記第５の構成又は上記第６の構成に係る遊技機において、前記第２仕切り部材は、前記開閉扉が前記前方傾斜状態において、遊技球を前記入賞口と前記誘導口とに振り分けるように設けられていることを特徴とする。
上記第７の構成を有する遊技機では、開閉扉の前方傾斜状態における上側面には、遊技球を入賞口と誘導口とに振り分ける第２仕切り部材が設けられているため、開閉扉の上側面を転動する遊技球の落下位置から入賞口に入球するまでの転動距離を短くすることが可能となる。従って、入賞口内への余分な遊技球の入球を抑止することが可能となる。
（付記８）また、例えば、第８の構成に係る遊技機は、上記第５の構成乃至上記第７の構成のいずれかに係る遊技機において、前記第２分岐通路を通過した遊技球は、前記排出口又は前記誘導口に入球するか前記可変入賞装置に入球しないように誘導されることを特徴とする。
上記第８の構成を有する遊技機では、第１分岐通路を通過した遊技球は、入賞口に入球するか可変入賞装置に入球しないように誘導され、第２分岐通路を通過した遊技球は、排出口又は誘導口に入球するか可変入賞装置に入球しないように誘導される。これにより、簡易な構成で遊技球を入賞口又は排出口若しくは誘導口に誘導することが可能となる。
（付記９）また、例えば、第９の構成に係る遊技機は、上記第１の構成乃至上記第４の構成のいずれかに係る遊技機において、前記入賞口と前記排出口は、左右方向に離間して配置され、前記可変入賞装置は、前記入賞口と前記排出口との間の前面側を塞ぐ前面壁部を有し、前記開閉扉は、前記起立状態で、前記前面壁部によって塞がられると共に、前記前方傾斜状態で、遊技球が通過可能となる開口部を有することを特徴とする。
上記第９の構成を有する遊技機では、可変入賞装置には、左右方向に離間して配置された入賞口と排出口とを開閉する開閉扉が設けられるため、当該開閉扉の横幅を大きくして、特別遊技状態における可変入賞装置に入球する遊技球を容易に多くすることができる。また、排出口に入球しても遊技者に特典（賞球）が付与されないため、遊技機の制御プログラムは従来と同様に構成することができる。
また、特別遊技状態において、開閉扉上に多くの遊技球が落下して入賞口又は排出口に入球するため、遊技者は従来以上の爽快感を得ることができ、特別遊技状態における可変入賞装置に入球する遊技球の動きに対する趣向性を高めることが可能となる。また、特別遊技状態において、入賞口と排出口との間に遊技球が落下しても、開閉扉に設けられた開口部を通過するため、開閉扉と前面壁部との間に遊技球が挟まれるのを防止することができる。
（付記１０）また、例えば、第１０の構成に係る遊技機は、上記第９の構成に係る遊技機において、前記第２仕切り部材は、前記開閉扉が前記前方傾斜状態において、遊技球を前記入賞口と前記開口部とに振り分けるように設けられていることを特徴とする。
上記第１０の構成を有する遊技機では、開閉扉の前方傾斜状態における上側面には、遊技球を入賞口と開閉扉の開口部とに振り分ける第２仕切り部材が設けられているため、開閉扉の上側面を転動する遊技球の落下位置から入賞口に入球するまでの転動距離を短くすることが可能となる。従って、入賞口内への余分な遊技球の入球を抑止することが可能となる。
（付記１１）また、例えば、第１１の構成に係る遊技機は、上記第９の構成又は上記第１０の構成に係る遊技機において、前記第２分岐通路を通過した遊技球は、前記排出口又は前記開口部に入球するか前記可変入賞装置に入球しないように誘導されることを特徴とする。
上記第１１の構成を有する遊技機では、第１分岐通路を通過した遊技球は、入賞口に入球するか可変入賞装置に入球しないように誘導され、第２分岐通路を通過した遊技球は、排出口に入球するか可変入賞装置に入球しないように誘導される。これにより、簡易な構成で遊技球を入賞口と排出口に誘導することが可能となる。
（付記１２）また、例えば、第１２の構成に係る遊技機は、上記第１の構成乃至上記第１１の構成のいずれかに係る遊技機において、前記可変入賞装置は、前記遊技盤の下方における前記遊技領域の略右半分又は略左半分に渡って配置されることを特徴とする。
上記第１２の構成を有する遊技機では、可変入賞装置は、遊技盤の下方における遊技領域の略右半分又は略左半分に渡って配置されるため、特別遊技状態において、遊技領域の略右半分又は略左半分を落下する遊技球のほぼ全部が開閉扉上に流下するように構成することが可能となる。これにより、特別遊技状態において、開閉扉上にほぼ全部の遊技球が流下するため、遊技者は従来以上の爽快感を得ることができ、特別遊技状態における可変入賞装置に入球する遊技球の動きに対する趣向性を確実に高めることが可能となる。
【符号の説明】
【０１８２】
１、１２１、１７１      遊技機
２      遊技盤
６      遊技領域
４５、１２２、１７２      可変入賞装置
４６、１２８      開閉扉
４７、１２７      入球口
４７Ａ      大入賞口
４７Ｂ      排出口
７５、１２５、１７７      取付板
【図１】
0006268549.tif 000002
【図２】
0006268549.tif 000003
【図３】
0006268549.tif 000004
【図４】
0006268549.tif 000005
【図５】
0006268549.tif 000006
【図６】
0006268549.tif 000007
【図７】
0006268549.tif 000008
【図８】
0006268549.tif 000009
【図９】
0006268549.tif 000010
【図１０】
0006268549.tif 000011
【図１１】
0006268549.tif 000012
【図１２】
0006268549.tif 000013
【図１３】
0006268549.tif 000014
【図１４】
0006268549.tif 000015